(57)【要約】ネットワークノードによる、Ｍｓｇ３設定のスケジューリングを行う方法が提供されうる。ユーザ装置（ＵＥ）によるＭｓｇ３送信のための、送信継続時間、ＤＭＲＳ設定、及び／又は開始位置を示す情報が生成されうる。ＵＥによるＭｓｇ３送信をスケジューリングするために、当該ＵＥへの当該情報のシグナリングの送信が開始されうる。ＵＥによるスケジューリングを行う方法は、Ｍｓｇ３送信のための、送信継続時間、ＤＭＲＳ設定、及び／又は開始位置を示す情報を、ネットワークノードから受信することを含む。ＵＥは、当該情報に基づいて決定されたスケジュールに基づいてＭｓｇ３を送信する。
2021520662.tif 000002
【特許請求の範囲】
【請求項１】
ネットワークノード（20, 600）による、Ｍｓｇ３設定のスケジューリングを行う方法であって、
ユーザ装置（ＵＥ）（10, 500）によるＭｓｇ３送信のための、送信継続時間、スロットオフセット、復調用参照信号（ＤＭＲＳ）設定、及び開始位置を示す情報メッセージを生成することであって、前記スロットオフセットがサブキャリア間隔に依存する、生成すること（300）と、
前記ＵＥ（10, 500）によるＭｓｇ３送信をスケジューリングするために前記ＵＥ（10, 500）への前記情報メッセージのシグナリングの送信を開始すること（302）と、
を含む、方法。
【請求項２】
請求項１に記載の方法であって、前記情報メッセージが、時間領域割り当てテーブル内のエントリを含む、方法。
【請求項３】
請求項１又は２に記載の方法であって、前記情報メッセージが、ランダムアクセス応答アップリンクグラントに含まれる、方法。
【請求項４】
請求項１から３のいずれか１項に記載の方法であって、スケジューリングオフセットが、前記サブキャリア間隔に依存する、方法。
【請求項５】
請求項１に記載の方法であって、前記テーブルが、無線リソース制御（ＲＲＣ）を用いて設定される、方法。
【請求項６】
請求項５に記載の方法であって、前記ＲＲＣが、残余最小システム情報（ＲＭＳＩ）を用いて提供される、方法。
【請求項７】
請求項１から６のいずれか１項に記載の方法であって、前記サブキャリア間隔の依存性が、システム情報及び／又はＲＲＣで設定される、方法。
【請求項８】
ユーザ装置（ＵＥ）（10, 500）による、Ｍｓｇ３のスケジューリングを行う方法であって、
Ｍｓｇ３送信のための、送信継続時間、スロットオフセット、復調用参照信号（ＤＭＲＳ）設定、及び開始位置を示す情報メッセージを、ネットワークノード（20, 600）から受信することであって、前記スロットオフセットがサブキャリア間隔に依存する、受信すること（400）と、
前記情報メッセージに基づいて決定されたスケジュールに基づいてＭｓｇ３を送信すること（402）と、
を含む、方法。
【請求項９】
請求項８に記載の方法であって、前記情報メッセージが、時間領域割り当てテーブル内のエントリを含む、方法。
【請求項１０】
請求項８又は９に記載の方法であって、前記情報メッセージが、ランダムアクセス応答アップリンクグラントに含まれる、方法。
【請求項１１】
請求項８から１０のいずれか１項に記載の方法であって、スケジューリングオフセットが、前記サブキャリア間隔に依存する、方法。
【請求項１２】
請求項８に記載の方法であって、前記テーブルが、無線リソース制御（ＲＲＣ）を用いて設定される、方法。
【請求項１３】
請求項１２に記載の方法であって、前記ＲＲＣが、残余最小システム情報（ＲＭＳＩ）を用いて提供される、方法。
【請求項１４】
請求項８から１３のいずれか１項に記載の方法であって、前記サブキャリア間隔の依存性が、システム情報及び／又はＲＲＣで設定される、方法。
【請求項１５】
ネットワークノード（20, 600）であって、
ネットワークインタフェース（607）と、
前記ネットワークインタフェース（607）に接続されたプロセッサ（603）と、
動作を行うために前記プロセッサ（603）によって実行されるプログラムコードを格納したメモリ（605）と、を備え、前記動作は、
ユーザ装置（ＵＥ）（10, 500）によるＭｓｇ３送信のための、送信継続時間、オフセット、復調用参照信号（ＤＭＲＳ）設定、及び開始位置を示す情報メッセージを生成することであって、前記スロットオフセットがサブキャリア間隔に依存する、生成すること（300）と、
前記ＵＥ（10, 500）によるＭｓｇ３送信をスケジューリングするために前記ＵＥ（10, 500）への前記情報メッセージのシグナリングの送信を開始すること（302）と、
を含む、ネットワークノード。
【請求項１６】
請求項１５に記載の方法であって、前記情報メッセージが、時間領域割り当てテーブル内のエントリを含む、方法。
【請求項１７】
請求項１５又は１６に記載の方法であって、前記情報メッセージが、ランダムアクセス応答アップリンクグラントに含まれる、方法。
【請求項１８】
請求項１５から１７のいずれか１項に記載の方法であって、スケジューリングオフセットが、前記サブキャリア間隔に依存する、方法。
【請求項１９】
請求項１５に記載の方法であって、前記テーブルが、無線リソース制御（ＲＲＣ）を用いて設定される、方法。
【請求項２０】
請求項１９に記載の方法であって、前記ＲＲＣが、残余最小システム情報（ＲＭＳＩ）を用いて提供される、方法。
【請求項２１】
請求項１５から２０のいずれか１項に記載の方法であって、前記サブキャリア間隔の依存性が、システム情報及び／又はＲＲＣで設定される、方法。
【請求項２２】
ユーザ装置（ＵＥ）（10, 500）であって、
ネットワークインタフェース（501）と、
前記ネットワークインタフェース（501）に接続されたプロセッサ（503）と、
動作を行うために前記プロセッサ（503）によって実行されるプログラムコードを格納したメモリ（505）と、を備え、前記動作は、
Ｍｓｇ３送信のための、送信継続時間、スロットオフセット、復調用参照信号（ＤＭＲＳ）設定、及び開始位置を示す情報メッセージを、ネットワークノード（20, 600）から受信することであって、前記スロットオフセットがサブキャリア間隔に依存する、受信すること（400）と、
前記情報メッセージに基づいて決定されたスケジュールに基づいてＭｓｇ３を送信すること（402）と、
を含む、ＵＥ。
【請求項２３】
請求項２２に記載の方法であって、前記情報メッセージが、時間領域割り当てテーブル内のエントリを含む、方法。
【請求項２４】
請求項２２又は２３に記載の方法であって、前記情報メッセージが、ランダムアクセス応答アップリンクグラントに含まれる、方法。
【請求項２５】
請求項２２から２４のいずれか１項に記載の方法であって、スケジューリングオフセットが、前記サブキャリア間隔に依存する、方法。
【請求項２６】
請求項２２に記載の方法であって、前記テーブルが、無線リソース制御（ＲＲＣ）を用いて設定される、方法。
【請求項２７】
請求項２６に記載の方法であって、前記ＲＲＣが、残余最小システム情報（ＲＭＳＩ）を用いて提供される、方法。
【請求項２８】
請求項２２から２７のいずれか１項に記載の方法であって、前記サブキャリア間隔の依存性が、システム情報及び／又はＲＲＣで設定される、方法。
【発明の詳細な説明】
【技術分野】
【０００１】
本開示は、無線通信システムに関し、より具体的には、時間リソース割当てがそのようなシステムによってどのようにシグナリングされるかに関する。
【背景技術】
【０００２】
ランダムアクセス（ＲＡ）手順は、セルラシステムにおける重要な機能である。Long-Term Evolution（ＬＴＥ）では、ネットワークにアクセスしたいユーザ装置（ＵＥ）は、物理ランダムアクセスチャネル（ＰＲＡＣＨ：Physical Random Access Channel）上でアップリンクでプリアンブル（Ｍｓｇ１）を送信することによってランダムアクセス手順を開始する。プリアンブルを受信し、かつ、ランダムアクセス試行を検出するｇＮＢ（次世代Ｎｏｄｅ Ｂ又は送受信ポイント（ＴＲＰ：Transmission and Reception Point）、例えば、基地局又はアクセスノード）は、ランダムアクセス応答（ＲＡＲ、Ｍｓｇ２）を送信することによってダウンリンクで応答する。ＲＡＲは、アップリンクで端末識別用の次の後続メッセージ（Ｍｓｇ３）を送信することによってＵＥが手順を続行するためのアップリンクスケジューリンググラントを搬送する。同様の手順が（New Radio）ＮＲについても想定される。図１は、ＮＲシステムのＵＥ１０及びｇＮＢ２０によって実行される４ステップの初期アクセス手順の例を示す。
【０００３】
図１を参照すると、ＰＲＡＣＨプリアンブルの送信前に、ＵＥ１０は、同期信号（ＳＳ）のセットと設定パラメータとの両方を、ＳＳブロック（例えば、ＮＲ−ＰＳＳ、ＮＲ−ＳＳＳ、New Radio物理ブロードキャストチャネル（ＮＲ−ＰＢＣＨ：New Radio Physical Broadcast Channel））におけるブロードキャストチャネルで受信し、場合によっては更に別のチャネルで受信された設定パラメータで補完される。
【０００４】
Ｍｓｇ３スケジューリング
Ｍｓｇ３は、物理アップリンク共有チャネル（ＰＵＳＣＨ：Physical Uplink Shared Channel）を用いて送信される。Ｍｓｇ３のペイロードに加えて、復調用参照信号（ＤＭＲＳ）も、ｅＮＢ／ｇＮＢにおけるデータの復号を支援するために送信される。ＬＴＥ及びＮＲの両方において、４ステップのランダムアクセス手順の場合、Ｍｓｇ３の初期送信は、ＲＡＲに含まれるＵＬグラントによってスケジューリングされる。Ｍｓｇ３の再送は、物理ダウンリンク制御チャネル（ＰＤＣＣＨ：Physical Downlink Control Channel）上のＵＬグラントによってスケジューリングされる。ＬＴＥでは、ＢＬ／ＣＥ ＵＥのためのカバレッジ拡張のために、ＲＡＲに含まれるＵＬグラントによってＭｓｇ３の反復が設定されることがある。
【０００５】
ＬＴＥにおけるＲＡＲ内のＵＬグラント
ＬＴＥでは、ランダムアクセス応答グラントフィールドとも称される、ＲＡＲ内のアップリンクグラント（Uplink Grant）フィールドは、アップリンクで使用されるリソースを示す。アップリンク（ＵＬ）グラントフィールドのサイズは、非ＢＬ／ＣＥ（Bandwidth-reduced Low-complexity (BL) or Coverage Enhanced (CE)）ＵＥに対して２０ビットである。最上位ビット（ＭＳＢ）で始まり最下位ビット（ＬＳＢ）で終わる、これら２０ビットの内容は、以下のとおりである：
‐ ホッピングフラグ − １ ビット
‐ 固定サイズリソースブロック割り当て − １０ ビット
‐ トランケート（truncated）変調及び符号化方式 − ４ ビット
【０００６】
上位レイヤパラメータpusch-EnhancementsConfigがＵＥに設定されている場合：
‐ Ｍｓｇ３の反復回数 − ３ビット
それ以外の場合（ＵＥに上位レイヤパラメータが設定されていない場合）
‐ スケジューリングされたＰＵＳＣＨのＴＰＣ コマンド − ３ビット
‐ ＵＬ遅延 − １ビット
‐ ＣＳＩ要求 − １ビット
【０００７】
Narrowband Internet of Things（ＮＢ−ＩｏＴ）ＵＥの場合、ＵＬグラントフィールドのサイズは１５ビットであり、ＢＬ ＵＥ及び拡張カバレッジレベル２又は３のＵＥの場合、ＵＬグラントフィールドのサイズは１２ビットである。ＵＬグラントの内容は、ＢＬ／ＣＥ ＵＥについての表６−２ ＴＳ ３６．２１３にリストされている。
【０００８】
ＬＴＥにおけるＭｓｇ３のリソース割り当て
周波数リソースの割り当ては、ＲＡＲに含まれるＵＬグラント内の固定サイズリソースブロック割り当てフィールドによって示される。非ＢＬ／ＣＥ ＵＥ（反復なし）のためのＭｓｇ３送信タイミングは、以下のように定められる：
【０００９】
関連する無線アクセス無線ネットワーク一時識別子（ＲＡ−ＲＮＴＩ：Radio Access Radio Network Temporary Identifier）を有するＰＤＣＣＨが、サブフレームｎにおいて検出され、かつ、対応するダウンリンク同期チャネル（ＤＬ−ＳＣＨ：downlink Synchronization Channel）トランスポートブロックが、送信されたプリアンブルシーケンスに対する応答を含む場合、ＵＥは、当該応答内の情報に従って、ＲＡＲ内のＵＬ遅延フィールドが０に設定されている場合に、第１のサブフレームｎ＋ｋ1（ｋ1≧６）においてＵＬ−ＳＣＨトランスポートブロックを送信しなければならず、ｎ＋ｋ1はＰＵＳＣＨ送信のための最初の使用可能なＵＬサブフレームであり、ここで、ＴＤＤサービングセルでは、ＰＵＳＣＨ送信のための最初のＵＬサブフレームは、上位レイヤによって示されるＵＬ／ＤＬ設定（即ち、パラメータsubframeAssignment）に基づいて定められる。ＵＥは、当該フィールドが１に設定されている場合には、ＰＵＳＣＨ送信を、ｎ＋ｋ1より後の次の使用可能なＵＬサブフレームに延期しなければならない。
【００１０】
多数のＭｓｇ３ ＰＵＳＣＨ反復（Δ）が設定されたＢＬ／ＣＥ ＵＥについては、ＵＬ遅延フィールドが１に設定されている場合には、ＵＥは、ＰＵＳＣＨ送信を、ｎ＋ｋ1＋Δより後の使用可能なＵＬサブフレームに延期する。
【発明の概要】
【００１１】
発明概念のいくつかの実施形態によれば、ネットワークノードによるＭｓｇ３設定をスケジューリングする方法が提供されうる。ユーザ装置（ＵＥ）によるＭｓｇ３送信のための、送信継続時間、ＤＭＲＳ設定、及び／又は開始位置を示す情報メッセージが生成されうる。ＵＥによるＭｓｇ３送信をスケジューリングするためにＵＥへの情報メッセージのシグナリングの送信が開始されうる。
【００１２】
本発明概念のいくつかの実施形態によれば、Ｍｓｇ３送信のためのＤＭＲＳ設定及び／又は開始位置の時間リソースシグナリングは、スロット／非スロットＭｓｇ３送信の両方のためのサポートを提供する。Ｍｓｇ３送信のためにＤＭＲＳを柔軟に設定することによって、より信頼性が高く、かつ、リソース効率の良い方法で種々のユースケースをサポートでき、それにより、ＵＬシステム容量が改善される、及び／又はランダムアクセスレイテンシが低減される。
【００１３】
発明概念のいくつかの実施形態によれば、ＵＥによるスケジューリングを行う方法が提供されうる。Ｍｓｇ３送信のための送信継続時間、ＤＭＲＳ設定、及び／又は開始位置を示す情報メッセージが、ネットワークノードから受信されうる。Ｍｓｇ３送信は、情報メッセージに基づいて決定されたスケジュールに基づいて送信されうる。
【００１４】
いくつかの実施形態によれば、ネットワークインタフェースと、当該ネットワークインタフェースに接続されたプロセッサと、当該プロセッサによって実行されるプログラムコードを格納するするメモリとを有するネットワークノードが提供されうる。プログラムコードは、動作を行うためにプロセッサによって実行され、当該動作は、ユーザ装置（ＵＥ）によるＭｓｇ３送信のための、送信継続時間、ＤＭＲＳ設定、及び／又は開始位置を示す情報メッセージを生成することと、ＵＥによるＭｓｇ３送信をスケジューリングするためにＵＥへの情報メッセージのシグナリングの送信を開始することと、を含む。
【００１５】
いくつかの実施形態によれば、ユーザ装置（ＵＥ）は、ネットワークインタフェースと、当該ネットワークインタフェースに接続されたプロセッサと、動作を行うために当該プロセッサによって実行されるプログラムコードを格納したメモリと、を備え、当該動作は、Ｍｓｇ３送信のための、送信継続時間、ＤＭＲＳ設定、及び／又は開始位置を示す情報メッセージを、ネットワークノードから受信することと、情報メッセージに基づいて決定されたスケジュールに基づいてＭｓｇ３を送信することと、を含む。
【図面の簡単な説明】
【００１６】
本開示の更なる理解を提供するために含まれ、本願に組み込まれて本願の一部を構成する添付の図面は、発明概念の特定の非限定的な実施形態を示す。図面において：
【００１７】
【図１】図１は、ＮＲシステムのＵＥ及びｇＮＢによって実行される４ステップの初期アクセス手順の例を示す。
【００１８】
【図２】図２は、いくつかの実施形態に係る、ＵＥを設定するために使用される時間領域割り当てテーブルを示す。
【００１９】
【図３】図３は、いくつかの実施形態に係る、ネットワークノードによって実行されうる動作及び方法のフローチャートである。
【００２０】
【図４】図４は、いくつかの実施形態に係る、ＵＥによって実行されうる動作及び方法のフローチャートである。
【００２１】
【図５】図５は、いくつかの実施形態に従って構成されたＵＥのブロック図である。
【００２２】
【図６】図６は、いくつかの実施形態に従って構成されたネットワークノードのブロック図である。
【００２３】
【図ＱＱ１】図ＱＱ１は、いくつかの実施形態に係る無線ネットワークのブロック図である。
【００２４】
【図ＱＱ２】図ＱＱ２は、いくつかの実施形態に係るユーザ装置のブロック図である。
【００２５】
【図ＱＱ３】図ＱＱ３は、いくつかの実施形態に係る仮想化環境のブロック図である。
【００２６】
【図ＱＱ４】図ＱＱ４は、いくつかの実施形態に係る、中間ネットワークを介してホストコンピュータに接続された遠隔通信ネットワークのブロック図である。
【００２７】
【図ＱＱ５】図ＱＱ５は、いくつかの実施形態に係る、基地局を介して部分的に無線コネクションを介してユーザ装置と通信するホストコンピュータのブロック図である。
【００２８】
【図ＱＱ６】図ＱＱ６は、いくつかの実施形態に係る、ホストコンピュータ、基地局、及びユーザ装置を含む通信システムにおいて実行される方法のブロック図である。
【００２９】
【図ＱＱ７】図ＱＱ７は、いくつかの実施形態に係る、ホストコンピュータ、基地局、及びユーザ装置を含む通信システムにおいて実行される方法のブロック図である。
【００３０】
【図ＱＱ８】図ＱＱ８は、いくつかの実施形態に係る、ホストコンピュータ、基地局、及びユーザ装置を含む通信システムにおいて実行される方法のブロック図である。
【００３１】
【図ＱＱ９】図ＱＱ９は、いくつかの実施形態に係る、ホストコンピュータ、基地局、及びユーザ装置を含む通信システムにおいて実行される方法のブロック図である。
【発明を実施するための形態】
【００３２】
以下では、発明概念の実施形態の例を示す添付図面を参照して、本発明の概念についてより十分に説明する。しかしながら、発明概念は、多くの異なる形態で具体化されてもよく、本明細書に記載された実施形態に限定されるものとして解釈されるべきではない。むしろ、これらの実施形態は、本開示が詳細かつ完全であり、本発明概念の範囲を当業者に十分に伝えるように提供される。これらの実施形態は相互に排他的ではないことにも留意されたい。１つの実施形態からの構成要素は、別の実施形態において存在する／使用されると暗黙に想定されうる。
【００３３】
課題及び潜在的利点
【００３４】
本明細書で開示される発明概念の様々な実施形態は、ＬＴＥにおいて、Ｍｓｇ３送信が１つのサブフレームの一定の送信継続時間（即ち、１ｍｓ）を有するという現在の認識から生じうる。ＮＲでは、スロットベース及び非スロットベースの両方のＭｓｇ３（再）送信がサポートされる。これは、Ｍｓｇ３送信が、異なる複数の送信継続時間でスケジュールされうることを意味する。したがって、Ｍｓｇ３送信のための時間リソース割当てを決定するためにＬＴＥで使用される既知のアプローチを、ＮＲのために再利用することはできない。ＮＲランダムアクセスについては、Ｍｓｇ３送信／再送／反復用の時間リソース割当てを知らせるために、開始位置及び／又は送信時間、及び／又はＭｓｇ３送信／再送／反復に関連するＤＭＲＳ設定（DMRS configuration）を含む、新たなシグナリングが必要とされる。
【００３５】
これらの発明概念の様々なものは、スロット／非スロットＭｓｇ３送信の両方をサポートする時間リソースシグナリングメカニズムを提供する。Ｍｓｇ３送信のためにＤＭＲＳを柔軟に設定することによって、より信頼性が高く、かつ、リソース効率の良い方法で種々のユースケースをサポートでき、それにより、ＵＬシステム容量が改善される、及び／又はランダムアクセスレイテンシが低減される。
【００３６】
発明概念の実施形態
ＮＲにおけるＭｓｇ３送信のための時間リソース割当て設定は、ＮＲにおいて規定されたＲＡＲとＭｓｇ３との間の最小ギャップと、例えば、ＲＭＳＩ又は無線リソース制御（ＲＲＣ）における、より高いレイヤのパラメータによって示される準静的（semi-static）ＴＤＤ設定とを考慮する必要がある。Ｍｓｇ３の送信／再送／反復のための時間リソース設定は、少なくとも送信継続時間、及び／又はＤＭＲＳ設定、及び／又は開始位置の関数である必要もある。
【００３７】
一実施形態では、Ｍｓｇ３送信／再送／反復をスケジューリングするためにネットワークノードからＵＥにシグナリングが送信され、当該シグナリングは、送信継続時間、ＤＭＲＳ設定、及び／又はＭｓｇ３送信／再送／反復のための開始位置を示す情報を含む。
【００３８】
例１：送信継続時間の関数としての時間リソース割り当てインジケーション
この例では、２、４、７及び１４個のＯＦＤＭシンボル継続時間のみが、Ｍｓｇ３送信のためにサポートされていると仮定する。サポートされている各送信継続時間に対して固定のＤＭＲＳマッピングパターンが仮定される。したがって、Ｍｓｇ３送信を搬送するＰＵＳＣＨの長さを示すには、２ビットの制御情報フィールドで十分である。Ｍｓｇ３送信に使用する厳密な時間リソースは、２ビットのシグナリング、ＲＡＲとＭｓｇ３との間の最小ギャップ、及び設定されている場合のＤＬ／ＵＬスロット設定、に基づいている
【００３９】
例２：送信継続時間及び開始位置の関数としての時間リソース割り当て設定
この例では、ＵＥは、ＭＳＧ３送信／再送に使用されるＯＦＤＭシンボルを与える、ｘ行（ｘ＜＝１６）の時間領域割り当てテーブルを用いて設定される。当該テーブルは、一般的なＰＵＳＣＨ送信用に設定された１６行のテーブルのトランケートバージョンにされてもよいし、又は当該テーブルは、少なくともＭＳＧ３送信／再送に使用される専用のテーブルである。当該テーブルの各行は、グラントが受信された時間に対するスロットオフセットを示すフィールドと、開始シンボルとＯＦＤＭシンボルの数とを一緒に示すフィールド（又は開始シンボルとＯＦＤＭシンボルの数とを別々に示す２つのフィールド）とを含む。当該テーブルは、最初にシステム情報（例えば、残余最小システム情報（ＲＭＳＩ：remaining minimum system information））で設定され、その後にＲＲＣで任意に再設定されてもよい。当該テーブルは、デフォルトとして固定のテーブルとされ、異なる設定が優先される場合にＲＲＣ又はＲＭＳＩによって上書きされてもよい。図２は、いくつかの実施形態に係る、ＵＥを設定するために使用される時間領域割り当てテーブルを示す（ヌメロロジー１）。
【００４０】
例３：設定変更可能なＤＭＲＳマッピングを用いた時間リソース割り当て設定
この例では、使用されるＤＭＲＳマッピングが更にシグナリングされうる。各送信長（２、４、７又は１４個のＯＦＤＭシンボル）に対応するＭＳＧ３に使用される固定ＤＭＲＳパターンは、例えばＲＭＳＩ及び／又はＲＲＣにおいて、より高いレイヤのパラメータによって示されうる。あるいは、各送信長（２、４、７、又は１４個のＯＦＤＭシンボル）に対応するＭＳＧ３に使用されるＤＭＲＳパターンのセットは、例えばＲＭＳＩ及び／又はＲＲＣにおいて、より高いレイヤのパラメータによって示され、ＲＡＲグラントが、ＭＳＧ３送信のためにどのＤＭＲＳパターンを使用すべきかを動的に示すか、又はＬ１／Ｌ２制御シグナリングが、ＭＳＧ３再送のためにどのＤＭＲＳパターンを使用すべきかを示す。
【００４１】
例４：アグリゲーションを用いる時間リソース割り当て設定
この例では、アグリゲーション係数が更にシグナリングされうる。ＭＳＧ３のために使用される単一のアグリゲーション係数は、例えばＲＭＳＩ及び／又はＲＲＣにおいて、より高いレイヤのパラメータによって示されうる。あるいは、ＭＳＧ３のために使用されるアグリゲーション係数のセットは、例えばＲＭＳＩ及び／又はＲＲＣにおいて、より高いレイヤのパラメータによって示され、ＲＡＲグラントが、ＭＳＧ３送信のためにどのアグリゲーション係数を使用すべきかを動的に示すか、又はＬ１／Ｌ２制御シグナリングが、ＭＳＧ３再送のためにどのアグリゲーション係数を使用すべきかを示す。
【００４２】
その他の態様
一実施形態として、時間リソース割り当て設定は、ＵＥに関する何らかの事前情報に基づいてネットワークによって選択されうる。例えば、事前情報は、検出されたプリアンブルインデックス又はプリアンブルグループインデックスによって取得されることができ、各プリアンブルグループインデックスは、特定のユースケース（例えば、モビリティ、送信電力制限、ＵＥ位置、ＵＥ能力）に関連付けられる。ＵＥは、例えば、その内蔵ＧＰＳセンサに基づいてそのドップラーを判定できるか、又は受信したＤＬ信号に基づいてドップラーを判定できる。
【００４３】
また、ｇＮＢは、受信したプリアンブルにおける周波数オフセットを、又は受信したプリアンブルの変化の速度を判定し、それに基づいて、どのＤＭ−ＲＳパターンがＭｓｇ３に適しうるかを判定しうる。
【００４４】
別の実施形態として、時間割当て（例えばスケジューリングオフセット）が、使用されるヌメロロジー（例えば、サブキャリア間隔）に依存することを提案する。当該依存性は、仕様で定められうる、及び／又はシステム情報（例えば、ＲＭＳＩ）及び／又はＲＲＣで設定されうる。
【００４５】
ＵＥ及びネットワークノードの要素例：
図５は、本明細書で開示される実施形態に従って動作するように構成されたＵＥ５００（無線端末、モバイル機器（ＭＥ：mobile equipment）、無線通信装置、無線通信端末、ユーザ装置、ユーザ装置ノード／端末／デバイス等とも称される）の要素を示すブロック図である。ＵＥ５００は、図１のＵＥ１０に対応しうる。示されるように、ＵＥ５００は、少なくとも１つのアンテナ５０７（アンテナとも称される）と、無線アクセスネットワークの基地局又は他の無線トランシーバ要素とのアップリンク及びダウンリンク無線通信を提供するように構成された送信機及び受信機を含む、少なくとも１つのトランシーバ回路５０１（トランシーバとも称される）とを含みうる。ＵＥ５００は更に、トランシーバ５０１と接続された少なくとも１つのプロセッサ回路５０３（プロセッサとも称される）と、プロセッサ５０３と接続された少なくとも１つのメモリ回路５０５（メモリとも称される）とを含みうる。メモリ５０５は、コンピュータ読み取り可能プログラムコードであって、プロセッサ５０３によって実行されると、本明細書に開示されるＵＥについての実施形態による動作をプロセッサ５０３に実行させる、プログラムコードを含みうる。他の実施形態によれば、別個のメモリ回路が必要とされないように、プロセッサ５０３がメモリを含むように定められてもよい。ＵＥ５００は更に、プロセッサ５０３と接続されたインタフェース（ユーザインタフェース等）を含みうる。
【００４６】
本明細書で説明するように、ＵＥ５００の動作は、プロセッサ５０３及び／又はトランシーバ５０１によって実行されうる。代替的又は追加的には、ＵＥ５００は、それぞれの動作（例えば、ＵＥの例示的な実施形態に関して本明細書で説明される動作）を実行するモジュール（例えば、ソフトウェア及び／又は回路）を含みうる。
【００４７】
図６は、本明細書で開示される１つ以上の実施形態に係るネットワークノード６００の要素を示すブロック図である。ネットワークノード６００は、図１のネットワークノード２０に対応しうる。示されるように、ネットワークノード６００は、ＵＥとの通信、アクセスネットワーク、コアネットワーク、及び／又は他のシステムノードのうちの１つ以上等の他のネットワークノードとの通信を提供するように構成された少なくとも１つのネットワークインタフェース回路６０７（ネットワークインタフェースとも称される）を含みうる。ネットワークノード６００は更に、ネットワークインタフェース６０７と接続された少なくとも１つのプロセッサ回路６０３（プロセッサとも称される）と、プロセッサ６０３と接続された少なくとも１つのメモリ回路６０５（メモリとも称される）とを含みうる。メモリ６０５は、コンピュータ読み取り可能プログラムコードであって、プロセッサ６０３によって実行されると、本明細書に開示されるネットワークノードについての実施形態による動作をプロセッサ６０３実行させる、プログラムコードを含みうる。他の実施形態によれば、別個のメモリ回路が必要とされないように、プロセッサ６０３がメモリを含むように定められてもよい。
【００４８】
本明細書で説明されるように、ネットワークノード６００の動作は、プロセッサ６０３及び／又はネットワークインタフェース６０７によって実行されうる。例えば、プロセッサ６０３は、ネットワークインタフェース６０７を制御して、ネットワークインタフェース６０７を介して、ＵＥ、１つ以上の他のネットワークノード及び／又は他のシステムノードへ通信を送信すること、及び／又は、ネットワークインタフェース６０７を介して通信を受信することを行いうる。代替的又は追加的には、ネットワークノード６００は、それぞれの動作（例えば、ネットワークノードの例示的な実施形態に関して本明細書で説明される動作）を実行するモジュール（例えば、回路）を含みうる。
【００４９】
いくつかの実施形態において、本明細書に記載の動作の一部又は全部は、１つ以上のネットワークノードによってホストされる１つ以上の仮想環境に実装される１つ以上の仮想マシンによって実行される仮想コンポーネントとして実装されてもよい。更に、仮想ノードが無線アクセスノードではない又は無線接続を必要としない実施形態（例えば、コアネットワークノード）では、ネットワークノードは完全に仮想化されてもよい。
【００５０】
上記動作は、本明細書で開示される実施形態のいくつかについての特徴、機能、及び／又は利点のいくつかを実装するように動作可能な（代替的には、ソフトウェアインスタンス、仮想アプライアンス、ネットワーク機能、仮想ノード、仮想ネットワーク機能等と称されうる）１つ以上のアプリケーションによって実装されうる。アプリケーションは、処理回路及びメモリを備えるハードウェアを提供する仮想化環境で実行される。メモリは、処理回路によって実行可能な命令を含み、それによって、アプリケーションは、本明細書で開示される特徴、利点、及び／又は機能のうちの１つ以上を提供するように動作可能である。
【００５１】
ＮＲのためのＵＬ送信手順の更なる詳細について説明する。
【００５２】
ＵＬグラント／ＤＬ ＳＰＳを伴わないタイプ２ ＵＬ送信のためのアクティブ化及び非アクティブ化シグナリングは、ＤＣＩ内の２つのフィールドの異なる値によって区別されうる。アクティブ化と非アクティブ化とを区別できる２つのフィールドは、以下のとおり、時間領域リソース割り当て（time domain resource allocation）とリソースブロック割り当て（resource block assignment）である。
‐ 時間領域リソース割り当て：非アクティブ化に使用される時間領域リソース割り当てにおける未使用フィールドの１つ
‐ リソースブロック割り当て：非アクティブ化の際に全て１に設定される
【００５３】
一実施形態では、設定されたグラントタイプ２のアクティブ化及び非アクティブ化が、リソースブロック割り当て及び時間領域割り当てによって区別されうる。設定されたグラントタイプ２を非アクティブ化するために、リソースブロック割り当てと時間領域リソース割り当てとの両方は全て１に設定される。
【００５４】
半永続的ＣＳＩ報告をアクティブ化及び非アクティブ化するために、同じフィールドが再使用されうる。ＳＰＳとＳＰ−ＣＳＩとは異なるＲＮＴＩを使用しているため、これが問題にならないことは明らかである。
【００５５】
ある実施形態では、ＳＰ−ＣＳＩ報告のアクティブ化及び非アクティブ化のために、ＳＰＳに使用されるのと同じ２つのフィールドが使用されうる。
【００５６】
ＰＵＳＣＨ上のＵＣＩ
【００５７】
アップリンク制御情報（ＵＣＩ）は、物理アップリンク制御チャネル（ＰＵＣＣＨ）又は物理アップリンク共有チャネル（ＰＵＳＣＨ）のいずれかによって搬送されうるとともに、１つ又はいくつかのアップリンク制御情報（即ち、ＤＬ確認応答（ＡＣＫ／ＮＡＣＫ）、チャネル品質インジケータ（ＣＱＩ）、又はスケジューリング要求（ＳＲ））を含む。ＵＣＩは、ＵＥがＵＬでユーザデータを送信する場合にＰＵＳＣＨ上で送信されるか、
送信対象のユーザデータが無い場合にＰＵＣＣＨで搬送される。制御データの符号化及び対応するマッピングは、３６．２１２の第５．２．２．６節に記載のように行われる。
【００５８】
ＵＬグラントを伴うＵＬ送信の場合と同様に、ＵＬグラントタイプ１又はタイプ２を伴わないＰＵＳＣＨ送信上でのＵＣＩの送信のために、リソースの一部がＵＣＩの送信のために予約されうる。また、両方のタイプについて、beta_offset値のセットが必要とされうるが、動的グラントのために使用される使われるbeta_offset値から導出されてもよい。
【００５９】
設定されたグラント上のＵＣＩについての別の実施形態では、動的グラントのためのパラメータと同様のパラメータが使用されうる。
【００６０】
ＲＡＲにおけるＭｓｇ３のＵＬグラント
【００６１】
ＲＡＲグラント
【００６２】
ランダムアクセス手順の一部として、ＭＳＧ１でランダムアクセス要求（Random Access Request）を受信した後、ｇＮＢは、ＭＳＧ２ ‐ランダムアクセス応答（ＲＡＲ：Random Access Response）メッセージ‐ で、ＵＥがＭＳＧ３（ＲＲＣ接続要求（RRC Connection Request））を送信するために必要な情報を提供しうる。これは、物理レイヤにおけるＲＡＲグラントと称される。ＬＴＥでは、ＲＡＲグラントは、[1]のようにＭＳＢからＬＳＢまで以下のコンテンツを有する２０ビットメッセージである。
●ホッピングフラグ − １ ビット
‐ これは、周波数ホッピングが有効化されるか否かを管理する情報の１ビットである。当該ビットの値が１であり、かつ、リソースブロック割り当てがタイプ０である場合、ＵＥは、ＰＵＳＣＨ周波数ホッピングを実行しなければならない。
●固定サイズリソースブロック割り当て − １０ビット
2021520662.tif 000003
固定サイズリソースブロック割り当てを、ｂ個の下位ビットにトランケートし、ここで、
2021520662.tif 000004
であり、通常のＤＣＩフォーマット０の規則に従って、トランケートされたリソースブロック割り当てを解釈する。
‐ それ以外の場合
固定サイズリソースブロック割り当て内のＮUL_hop個のホッピングビットの後に、値が「０」に設定されたｂ個の上位ビットを挿入し、ここで、ホッピングビットの数ＮUL_hopは、ホッピングフラグビットが１に設定されていない場合には０であり、ホッピングフラグビットが１に設定されている場合には表８．４−１に規定されており、
2021520662.tif 000005
であり、通常のＤＣＩフォーマット０の規則に従って拡張リソースブロック割り当てを解釈する
●トランケート変調及び符号化方式 − ４ビット
‐ トランケート変調及び符号化方式フィールドは、ランダムアクセス応答グラントに対応する変調及び符号化方式が、ＴＳ３６．２１３からの表８．６．１−のＭＣＳインデックス０〜１５から決定されるように解釈される
●スケジューリングされたＰＵＳＣＨのＴＰＣコマンド − ３ビット
‐ ＴＰＣコマンドとして３ビットで示され、その値は０〜７の間で変化する。ＴＰＣコマンド対電力のマッピングは、ＴＳ３６．２１３からの表６．２−１で与えられる。ＴＰＣコマンド値は、−６ｄＢから８ｄＢの範囲で、ステップサイズは２ｄＢである
‐ ＵＥが、より高いレイヤのパラメータpusch-EnhancementsConfigを用いて設定されている場合、このフィールドは、Ｍｓｇ３の反復回数を示すために使用される
●ＵＬ遅延 − １ビット
‐ 関連するＲＡ−ＲＮＴＩを有するＰＤＣＣＨが、サブフレームｎにおいて検出され、かつ、対応するＤＬ−ＳＣＨトランスポートブロックが、送信されたプリアンブルシーケンスに対する応答を含む場合、ＵＥは、当該応答内の情報に従って、ＵＬ遅延フィールドが０に設定されている場合に、第１のサブフレームｎ＋ｋ1（ｋ1≧６）においてＵＬ−ＳＣＨトランスポートブロックを送信しなければならず、ｎ＋ｋ1はＰＵＳＣＨ送信のための最初の使用可能なＵＬサブフレームであり、ここで、ＴＤＤサービングセルでは、ＰＵＳＣＨ送信のための最初のＵＬサブフレームは、上位レイヤによって示されるＵＬ／ＤＬ設定（即ち、パラメータsubframeAssignment）に基づいて定められる。ＵＥは、当該フィールドが１に設定されている場合には、ＰＵＳＣＨ送信を、ｎ＋ｋ1より後の次の使用可能なＵＬサブフレームに延期しなければならない。
●ＣＳＩ要求 − １ビット
‐ この１ビットの情報は、非周期的ＣＱＩ、ＰＭＩ、及びＲＩ報告がＰＵＳＣＨ送信に含まれうるかどうかを決定する。競合ベースのランダムアクセスについては、ＣＳＩフィールドは予約されている。
【００６３】
ＮＲにおけるＲＡＲグラントについては、ＬＴＥにおけるＲＡＲグラントと同じサイズを有する、ＲＡＲにおけるＵＬグラントのための２０ビットが使用される。類似のＲＡＲグラント構成をＮＲに使用することは当然であるが、特定のＮＲ固有の設計要素が考慮される必要がある。これらの態様を以下で説明する。
●トランケート変調及び符号化方式については、２５６ＱＡＭ無しのＭＣＳテーブルの最初の１６行のみを使用することによって、ＭＣＳテーブルをトランケートする。使用される特定のＭＣＳテーブルは、ネットワークがアップリンク送信のためにＯＦＤＭ又はＤＦＴ−Ｓ−ＯＦＤＭを設定するかどうかに依存する。
●スケジュールされたＰＵＳＣＨのためのＴＰＣコマンドについては、２ｄＢのステップサイズで−６ｄＢから８ｄＢの範囲内の値を示すために３ビットが使用されうる。
●ＣＳＩ要求フィールドについては、ｇＮＢがハンドオーバ中にＣＳＩレポートを直接取得することが有用でありうるため、１ビットフィールドが使用されうる。
●時間領域割り当てについては、ＬＴＥ ＲＡＲグラントは、暗黙の規則に基づいており、即ち、ＵＬ−ＳＣＨトランスポートブロックは、最初の使用可能なＵＬサブフレームｎ＋ｋ1、ｋ1≧６においてスケジュールされ、ＵＬ遅延フィールドが１に設定された場合、送信はその後、次の使用可能なＵＬサブフレームに延期される。ＮＲは、スロットベースと非スロットベースの両方のＭＳＧ３送信をサポートする。非スロットベースの送信については、ＰＵＳＣＨのための２、４及び７個のＯＦＤＭシンボルのような継続時間がサポートされうる。ＮＲでは、ＵＥは、ＰＵＳＣＨ送信に使用されるＯＦＤＭシンボルを与える、１６行の時間領域割り当てテーブルを用いて設定されうる。ＲＡＲグラントについては、仕様で定められた、又はＲＭＳＩ及び／又はＲＲＣにより設定された４行の、トランケートされた時間領域割り当てテーブルのエントリを示すために、２ビットが時間領域割り当てに使用されうる。
●周波数ホッピングフラグについては、ＭＳＧ３のためにスロット内周波数ホッピングがサポートされ、それ故に、ＮＲにおけるＲＡＲグラントのために１ビットのホッピングフラグが必要とされうる。
●固定サイズリソースブロック割り当てについては、ＬＴＥ ＲＡＲグラントと同様に、ＮＲリソース割り当てタイプ１‐開始位置及び長さを有する隣接ＲＢが使用されうる。固定サイズの２０ビットＲＡＲグラントと上記のフィールドで使用されるビット数では、固定サイズリソースブロック割り当てに残されるビット数は１０以下である。約２０バイトのＭＳＧ３を想定すると、ＭＣＳ＝０、及び１＋１＋１ ＤＭＲＳ設定を有するスロットベースのＰＵＳＣＨ送信のために６個のＲＢが必要とされる。表１は、１‐ＲＢ粒度の開始位置及び長さを有するいくつかのＢＷＰサイズの例の下で、ＮＲリソース割り当てタイプ１で割り当てられうるＲＢの最大数を示す。（１）ＮＲにおけるＢＷＰサイズは、最大ＬＴＥ帯域幅よりも非常に大きくなりうること、及び（２）非スロットベースのＭＳＧ３送信がサポートされること、を考慮すると、開始ＲＢ位置及び長さは、ｘ‐ＲＢ粒度をサポートしなければならず、ｘ≧１である。表２において、いくつかの粒度値の例が与えられている。ＬＴＥ ＲＡＲグラントと同様に、
・周波数ホッピングが有効化されない場合、固定サイズリソースブロック割り当てのフィールドに割り当てられた全てのビットが、開始ＲＢ位置及び長さを示すために使用されうる。
・周波数ホッピングが有効化される場合、固定サイズリソースブロック割り当てのフィールドに割り当てられたいくつかのＭＳＢビットが、周波数ホッピングのインジケーションのために使用され、残りのＬＳＢビットが、開始ＲＢ位置及び長さを示すために使用される。周波数ホッピングのインジケーションに使用されるＭＳＢビットの数は、一般的なＰＵＳＣＨ周波数ホッピングがどのように設計されるか、及び、周波数ホッピング設定が仕様で定められる必要がある、又はシステム情報及び／又はＲＲＣでシグナリングされる必要があることに依存する。
【表１】
2021520662.tif 000006
【表２】
2021520662.tif 000007
【００６４】
ＮＲにおける２０ビットＲＡＲグラントは、ＭＳＢからＬＳＢまでの以下のコンテンツを有する：
●ホッピングフラグ − １ビット
●固定サイズ時間領域割り当て − ２ビット
・仕様で定められている、又はＲＭＳＩによって設定されてオプションでＲＲＣによって再設定された、４行のトランケート時間領域割り当てテーブルのエントリを示す
●固定サイズリソースブロック割り当て − ９ビット
・開始ＲＢ位置及び長さを示す。開始ＲＢ位置及び長さはｘ‐ＲＢ粒度をサポートしなければならず、ここで、ｘはＢＷＰサイズ、スロット対非スロット送信に依存する。
・周波数ホッピングが有効化されない場合、全てのビットが、開始ＲＢ位置及び長さを示すために使用されうる。
・周波数ホッピングが有効化される場合、いくつかのＭＳＢビットが、周波数ホッピングのインジケーションのために使用され、残りのＬＳＢビットが、開始ＲＢ位置及び長さを示すために使用される。
●スケジューリングされたＰＵＳＣＨのＴＰＣコマンド − ３ビット
・２ｄＢのステップサイズで−６ｄＢから８ｄＢまでの範囲内の値を示す
●トランケート変調及び符号化方式 − ４ビット
・アップリンク送信用に設定されたＯＦＤＭ又はＤＦＴ−Ｓ−ＯＦＤＭに依存する、２５６ＱＡＭの無いＭＣＳテーブルの最初の１６行のエントリを示す。
●ＣＳＩ要求 − １ビット
非周期的ＣＳＩ報告が、非競合ランダムアクセスにおいてＰＵＳＣＨ送信に含まれるか、及び競合ベースのランダムアクセスのために予約されているかを示す。
参考文献：
[1] Chairman's note, RAN1#91
[2] 3GPP TS 38.321: "NR; Medium Access Control (MAC); Protocol specification".
【００６５】
実施形態の例のリスト
実施形態の例について以下で説明する。参照番号／文字は、参照番号／文字によって示される特定の要素に実施形態の例を限定することなく、例／例示として括弧内に提供される。
［実施形態１］
ネットワークノードによる、設定のスケジューリングを行う方法であって、
ユーザ装置（ＵＥ）によるＭｓｇ３送信のための送信継続時間、ＤＭＲＳ設定、及び／又は開始位置を示す情報を生成することと、
前記ＵＥによるＭｓｇ３送信をスケジューリングするために、前記ＵＥへの前記情報のシグナリングの送信を開始することと、
を含む方法。
［実施形態２］
実施形態１の方法であって、前記生成される情報は、前記ＵＥのＭｓｇ３の送信をスケジュールするよう前記ＵＥを制御するように構成される、方法。
［実施形態３］
実施形態１又は２の方法であって、前記情報は、前記Ｍｓｇ３の送信継続時間に基づいて生成される、方法。
［実施形態４］
実施形態１乃至３のいずれかの方法であって、前記情報は、前記Ｍｓｇ３の送信継続時間と、スロット内におけるＭｓｇ３送信の開始位置とに基づいて生成される、方法。
［実施形態５］
実施形態１乃至４のいずれかの方法であって、設定ＤＭＲＳマッピングを用いてＭｇｓ３送信のための時間リソース割り当て設定を提供することを更に含む、方法。
［実施形態６］
実施形態１乃４のいずれかの方法であって、アグリゲーションを用いてＭｇｓ３送信のための時間リソース割り当て設定を提供することを更に含む、方法。
［実施形態７］
実施形態１乃至６のいずれかによる動作を実行するように構成されたネットワークノード。
［実施形態８］
ネットワークノードであって、
ユーザ装置（ＵＥ）によるＭｓｇ３送信のための送信継続時間、ＤＭＲＳ設定、及び／又は開始位置を示す情報を生成することと、
前記ＵＥによるＭｓｇ３送信をスケジューリングするために、前記ＵＥへの前記情報のシグナリングの送信を開始することと、
を行うように構成されたネットワークノード。
［実施形態９］
実施形態８のネットワークノードであって、実施形態２乃至６のいずれかの方法を実行するように更に構成された、ネットワークノード。
［実施形態１０］
ネットワークノードであって、
ネットワークインタフェースと、
前記ネットワークインタフェースに接続されたプロセッサと、
動作を行うために前記プロセッサによって実行されるプログラムコードを格納したメモリと、を備え、前記動作は、
ユーザ装置（ＵＥ）によるＭｓｇ３送信のための送信継続時間、ＤＭＲＳ設定、及び／又は開始位置を示す情報を生成することと、
前記ＵＥによるＭｓｇ３送信をスケジューリングするために、前記ＵＥへの前記情報のシグナリングの送信を開始することと、
を含む、ネットワークノード。
［実施形態１１］
実施形態１０のネットワークノードであって、前記プログラムコードは、実施形態２乃至６のいずれかの方法を実行するために前記プロセッサによって実行される、ネットワークノード。
［実施形態１２］
ユーザ装置（ＵＥ）によるスケジューリングを行う方法であって、
Ｍｓｇ３送信のための送信継続時間、ＤＭＲＳ設定、及び／又は開始位置を示す情報を、ネットワークノードから受信することと、
前記情報に基づいて決定されたスケジュールに基づいてＭｓｇ３を送信することと、
を含む方法。
［実施形態１３］
実施形態１２の方法であって、前記情報は、前記Ｍｓｇ３の送信継続時間に基づいている、方法。
［実施形態１４］
実施形態１２又は１３の方法であって、前記情報は、前記Ｍｓｇ３の送信継続時間と、スロット内におけるＭｓｇ３送信の開始位置とに基づいている、方法。
［実施形態１５］
実施形態１２乃至１４のいずれかの方法であって、設定ＤＭＲＳマッピングを用いてＭｇｓ３送信のための時間リソース割り当て設定を受信することを更に含む、方法。
［実施形態１６］
実施形態１２乃１５のいずれかの方法であって、アグリゲーションを用いてＭｇｓ３送信のための時間リソース割り当て設定を受信することを更に含む、方法。
［実施形態１７］
実施形態１２乃至１６のいずれかによる動作を実行するように構成されたユーザ装置（ＵＥ）。
［実施形態１８］
ユーザ装置（ＵＥ）であって、
Ｍｓｇ３送信のための送信継続時間、ＤＭＲＳ設定、及び／又は開始位置を示す情報を、ネットワークノードから受信することと、
前記情報に基づいて決定されたスケジュールに基づいてＭｓｇ３を送信することと、
を行うように構成された、ＵＥ。
［実施形態１９］
実施形態１８のユーザ装置（ＵＥ）であって、実施形態１３乃至１６のいずれかの方法を実行するように更に構成された、ＵＥ。
［実施形態２０］
ユーザ装置（ＵＥ）であって、
ネットワークインタフェースと、
前記ネットワークインタフェースに接続されたプロセッサと、
動作を行うために前記プロセッサによって実行されるプログラムコードを格納したメモリと、を備え、前記動作は、
Ｍｓｇ３送信のための送信継続時間、ＤＭＲＳ設定、及び／又は開始位置を示す情報を、ネットワークノードから受信することと、
前記情報に基づいて決定されたスケジュールに基づいてＭｓｇ３を送信することと、
を含む、ＵＥ。
［実施形態２１］
実施形態２０のＵＥであって、前記プログラムコードは、実施形態１３乃至１６のいずれかの方法を実行するために前記プロセッサによって実行される、ＵＥ。
【００６６】
追加の説明
一般に、本明細書で使用される全ての用語は、異なる意味が明確に与えられ、及び／又は、それが使用される文脈から暗示されない限り、関連する技術分野におけるそれらの通常の意味に従って解釈されるべきである。１つの（a/an/the）エレメント、装置、コンポーネント、手段、ステップ等への言及は全て、特に明記されない限り、エレメント、装置、コンポーネント、手段、ステップ等の少なくとも１つのインスタンスを指すものとしてオープンに解釈されるべきである。本明細書に開示される任意の方法のステップは、ステップが別のステップの後又は前として明示的に説明されている場合、及び／又はステップが別のステップの後又は前になければならないことが黙示的でる場合を除き、開示される正確な順序で実行される必要はない。本明細書に開示される実施形態のいずれかの任意の特徴は、適切な場合には、任意の他の実施形態に適用されてもよい。同様に、任意の実施形態の任意の利点は、任意の他の実施形態に適用されることができ、その逆も同様である。包含される実施形態の他の目的、特徴、及び利点は、以下の説明から明らかになる。
【００６７】
以下、添付図面を参照して、本明細書において検討される実施形態のいくつかについてより十分に説明する。しかしながら、他の実施形態は本明細書に開示された主題の範囲内に含まれ、開示された主題は、本明細書に記載された実施形態のみに限定されると解釈されるべきではなく、むしろ、これらの実施形態は主題の範囲を当業者に伝えるために例として提供される。
【００６８】
図ＱＱ１：いくつかの実施形態に係る無線ネットワーク。
【００６９】
本明細書で説明される主題は任意の好適なコンポーネントを使用して任意の適切な種類のシステムで実装されうるが、本明細書で開示される実施形態は、図ＱＱ１に示される例示的な無線ネットワーク等の無線ネットワークに関連して説明される。簡単化のため、図ＱＱ１の無線ネットワークは、ネットワークＱＱ１０６、ネットワークノードＱＱ１６０及びＱＱ１６０ｂ、並びにＷＤ ＱＱ１１０、ＱＱ１１０ｂ及びＱＱ１１０ｃ（モバイル端末とも称される）のみを示す。実際には、無線ネットワークは、無線デバイス間の通信、又は無線デバイスと他の通信デバイス（例えば、固定電話、サービスプロバイダ、又は他の任意のネットワークノード又はエンドデバイス）との間の通信をサポートするのに適した任意の追加要素を更に含みうる。図示されたコンポーネントのうち、ネットワークノードＱＱ１６０及び無線デバイス（ＷＤ）ＱＱ１１０が、更なる詳細とともに示されている。無線ネットワークは、無線デバイスによって提供されるサービス又は無線デバイスを介して提供されるサービスへの無線デバイスのアクセス及び／又は当該サービスの使用を容易にするために、通信及び他のタイプのサービスを１つ以上の無線デバイスに提供しうる。
【００７０】
無線ネットワークは、任意のタイプの通信、遠隔通信、データ、セルラ、及び／又は無線ネットワーク又は他の同様のタイプのシステムを備えうる、及び／又はそれらとのインタフェースを行いうる。いくつかの実施形態では、無線ネットワークは、特定の規格又は他のタイプの予め定められた規則又は手順に従って動作するように構成されうる。このため、無線ネットワークの特定の実施形態は、Global System for Mobile Communications（ＧＳＭ(登録商標)）、Universal Mobile Telecommunications System（ＵＭＴＳ）、Long Term Evolution（ＬＴＥ）、及び／又は他の適切な２Ｇ、３Ｇ、４Ｇ若しくは５Ｇ規格等の通信規格と、ＩＥＥＥ ８０２．１１規格等の無線ローカルエリアネットワーク（ＷＬＡＮ）規格と、Worldwide Interoperability for Microwave Access（ＷｉＭａｘ）、Ｂｌｕｅｔｏｏｔｈ(登録商標)、Ｚ‐Ｗａｖｅ及び／又はＺｉｇＢｅｅ(登録商標)規格等の、任意の他の適切な無線通信規格と、の少なくとも１つを実装しうる。
【００７１】
ネットワークＱＱ１０６は、１つ以上のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、及びデバイス間の通信を可能にする他のネットワーク、を含みうる。
【００７２】
ネットワークノードＱＱ１６０及びＷＤ ＱＱ１１０は、以下でより詳細に説明する様々なコンポーネントを備える。これらのコンポーネントは、無線ネットワークで無線コネクションを提供する等の、ネットワークノード及び／又は無線デバイスの機能を提供するために連携する。種々の実施形態において、無線ネットワークは、任意の数の有線又は無線ネットワークと、ネットワークノードと、基地局と、コントローラと、無線デバイスと、中継局と、有線又は無線コネクションを介するかどうかによらずデータ及び／又は信号の通信を容易にしうる又は当該通信に参加しうる任意の他のコンポーネント又はシステムとのうちの少なくとも１つを備えうる。
【００７３】
本明細書で使用されるように、ネットワークノードは、無線デバイスへの無線アクセスを可能にする及び／又は提供するため、及び／又は、無線ネットワーク内の他の機能（例えば、管理）を実行するために、無線デバイスと直接又は間接の通信、及び／又は無線ネットワーク内の他のネットワークノード又は装置との通信を、行うことができる装置、行うように構成された装置、及び／又は行うように動作可能な装置を指す。ネットワークノードの例には、アクセスポイント（ＡＰ）（例えば、無線アクセスポイント）、基地局（ＢＳ）（例えば、無線基地局、ノードＢ、進化型ノードＢ（ｅＮＢ）及びＮＲノードＢ（ｇＮＢ））が含まれるが、これらに限定されない。基地局は、それらが提供するカバレッジの量（又は別の言い方をすれば、それらの送信電力レベル）に基づいて分類される場合があり、その場合、フェムト基地局、ピコ基地局、マイクロ基地局、又はマクロ基地局とも称されうる。基地局は、リレーを制御するリレーノード又はリレードナーノードであってもよい。ネットワークノードは更に、集中型デジタルユニット及び／又はリモート無線ユニット（ＲＲＵ）（リモート無線ヘッド（ＲＲＨ）と称される場合がある）等の、分散型無線基地局の１つ以上の（又は全ての）部分を含みうる。このようなリモート無線ユニットは、アンテナ一体型無線機としてアンテナと一体化される場合とされない場合がある。分散型無線基地局の一部は、分散アンテナシステム（ＤＡＳ）におけるノードとも称されることがある。ネットワークノードの更に別の例には、ＭＳＲ ＢＲ等のマルチスタンダード無線（ＭＳＲ）機器、無線ネットワークコントローラ（ＲＮＣ）又は基地局コントローラ（ＢＳＣ）等のネットワークコントローラ、基地トランシーバ局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、及び／又はＭＤＴが含まれる。別の例として、ネットワークノードは、以下においてより詳細に説明されるように、仮想ネットワークノードであってもよい。しかしながら、より一般的には、ネットワークノードは、無線ネットワークへのアクセスを有する無線デバイスを実現及び／又は提供するように、又は、無線ネットワークにアクセスした無線デバイスに何らかのサービスを提供するように、能力を有する、構成された、配置された、及び／又は動作可能な、任意の適切なデバイス（又はデバイス群）を表しうる。
【００７４】
図ＱＱ１では、ネットワークノードＱＱ１６０は、処理回路ＱＱ１７０、デバイス読取可能媒体ＱＱ１８０、インタフェースＱＱ１９０、補助装置ＱＱ１８４、電源ＱＱ１８６、電力回路ＱＱ１８７、及びアンテナＱＱ１６２を備える。図ＱＱ１の例示的な無線ネットワークに示されたネットワークノードＱＱ１６０は、ハードウェアコンポーネントの図示された組み合わせを含むデバイスを表しうるが、他の実施形態は、異なるコンポーネントの組み合わせを有するネットワークノードを含みうる。ネットワークノードは、本明細書で開示されるタスク、特徴、機能、及び方法を実行するために必要とされるハードウェア及び／又はソフトウェアの任意の適切な組み合わせを備えることを理解されたい。更に、ネットワークノードＱＱ１６０のコンポーネントは、より大きなボックス内に配置された単一のボックスとして示されているか、又は複数のボックス内にネストされているが、実際には、ネットワークノードは、単一の図示されたコンポーネントを構成する複数の異なる物理的なコンポーネントを備えうる（例えば、デバイス読取可能媒体ＱＱ１８０は、複数の別個のハードドライブと複数のＲＡＭモジュールを備えうる）。
【００７５】
同様に、ネットワークノードＱＱ１６０は、複数の物理的に別個のコンポーネント（例えば、ノードＢコンポーネント及びＲＮＣコンポーネント、又はＢＴＳコンポーネント及びＢＳＣコンポーネント等）で構成されてもよく、それらはそれぞれ、独自のそれぞれのコンポーネントを有してもよい。ネットワークノードＱＱ１６０が複数の別個のコンポーネント（例えば、ＢＴＳ及びＢＳＣコンポーネント）を備える特定のシナリオでは、別個のコンポーネントのうちの１つ以上がいくつかのネットワークノード間で共有されうる。例えば、単一のＲＮＣが複数のノードＢを制御してもよい。このようなシナリオでは、固有のノードＢとＲＮＣとの各ペアが、単一の個別のネットワークノードと見なされる場合がある。いくつかの実施形態では、ネットワークノードＱＱ１６０は、複数の無線アクセス技術（ＲＡＴ）をサポートするように構成されうる。そのような実施形態では、いくつかのコンポーネントが重複していてもよく（例えば、異なるＲＡＴのための別個のデバイス読取可能媒体ＱＱ１８０）、いくつかのコンポーネントは再使用されてもよい（例えば、同じアンテナＱＱ１６２が複数のＲＡＴによって共有されてもよい）。また、ネットワークノードＱＱ１６０は、例えば、ＧＳＭ、ＷＣＤＭＡ(登録商標)、ＬＴＥ、ＮＲ、ＷｉＦｉ又はＢｌｕｅｔｏｏｔｈ無線技術のような、ネットワークノードＱＱ１６０に統合される異なる複数の無線技術のための様々な例示されたコンポーネントの複数のセットを含みうる。これらの無線技術は、ネットワークノードＱＱ１６０内の同一の又は異なるチップ又はチップのセット及び他のコンポーネントに統合されうる。
【００７６】
処理回路ＱＱ１７０は、ネットワークノードによって提供されるものとして本明細書で説明される任意の判定、計算、又は類似の動作（例えば、ある取得動作）を実行するように構成される。処理回路ＱＱ１７０によって実行されるこれらの動作は、例えば、取得された情報を他の情報に変換すること、取得された情報又は変換された情報を、ネットワークノードに格納された情報と比較すること、及び／又は取得された情報又は変換された情報に基づいて１つ以上の動作を実行すること、及び上記の処理の結果として判定を行うことによって、処理回路ＱＱ１７０によって取得された情報を処理することを含みうる。
【００７７】
処理回路ＱＱ１７０は、マイクロプロセッサ、コントローラ、マイクロコントローラ、中央演算処理装置、デジタルシグナルプロセッサ、特定用途向け集積回路、フィールドプログラマブルゲートアレイ、又は任意の他の適切なコンピューティングデバイス、リソース、又はハードウェア、ソフトウェア及び／又は符号化ロジックの組み合わせ、のうちの１つ以上の組み合わせを備えてよく、これらは、単独で提供、又はデバイス読取可能媒体ＱＱ１８０、ネットワークノードＱＱ１６０の機能等の、他のネットワークノードＱＱ１６０コンポーネントと併用して提供するように動作可能である。例えば、処理回路ＱＱ１７０は、デバイス読取可能媒体ＱＱ１８０又は処理回路ＱＱ１７０内のメモリに格納された命令を実行しうる。そのような機能は、本明細書で説明される様々な無線フィーチャ、機能、又は利益のいずれかを提供することを含みうる。一部の実施形態において、処理回路ＱＱ１７０は、システムオンチップ（ＳＯＣ）上のシステムを含みうる。
【００７８】
いくつかの実施形態では、処理回路ＱＱ１７０は、無線周波数（ＲＦ）トランシーバ回路ＱＱ１７２及びベースバンド処理回路ＱＱ１７４のうちの１つ以上を含みうる。いくつかの実施形態では、無線周波数（ＲＦ）トランシーバ回路ＱＱ１７２及びベースバンド処理回路ＱＱ１７４は、別個のチップ（又はチップのセット）、ボード、又は無線ユニット及びデジタルユニット等のユニット上にあってもよい。代替の実施形態では、ＲＦトランシーバ回路ＱＱ１７２及びベースバンド処理回路ＱＱ１７４の一部又は全部が、同じチップ又はチップのセット、ボード、又はユニット上にあってもよい。
【００７９】
特定の実施形態では、ネットワークノード、基地局、ｅＮＢ、又はその他のネットワークデバイスによって提供されるものとして説明される機能の一部又は全部は、デバイス読取可能媒体ＱＱ１８０上に格納されている又は処理回路ＱＱ１７０内のメモリに格納されている命令が処理回路ＱＱ１７０によって実行されることによって実行されうる。代替の実施形態では、当該機能の一部又は全部は、ハードワイヤード方式等で、別個の又は個別のデバイス読取可能媒体上に格納された命令を実行することなく、処理回路ＱＱ１７０によって提供されうる。これらの実施形態のいずれにおいても、デバイス読取可能記憶媒体上に格納された命令を実行するか否かにかかわらず、処理回路ＱＱ１７０は、説明される機能を実行するように構成されうる。そのような機能によって提供される利点は、処理回路ＱＱ１７０のみ、又はネットワークノードＱＱ１６０の他のコンポーネントに限定されず、ネットワークノードＱＱ１６０全体によって、及び／又はエンドユーザ及び無線ネットワーク全体によって享受される。
【００８０】
デバイス読取可能媒体ＱＱ１８０は、限定されることなく、永続的ストレージ、ソリッドステートメモリ、リモートマウントメモリ、磁気媒体、光学媒体、ランダムアクセスメモリ、読み出し専用メモリ、大容量記憶媒体（例えば、ハードディスク）、リムーバブル記憶媒体（例えば、フラッシュドライブ、コンパクトディスク（ＣＤ）又はデジタルビデオディスク（ＤＶＤ））、及び／又は処理回路ＱＱ１７０によって使用されうる情報、データ及び／又は命令を格納するその他の揮発性又は不揮発性、非一時的なデバイス読取可能及び／又はコンピュータ実行可能メモリデバイスを含む、任意の形態の揮発性又は不揮発性コンピュータ読取可能メモリを含みうる。デバイス読取可能媒体ＱＱ１８０は、処理回路ＱＱ１７０によって実行され、ネットワークノードＱＱ１６０によって利用されることが可能な、コンピュータプログラムと、ソフトウェアと、ロジック、ルール、コード、テーブル等のうちの１つ以上を含むアプリケーションと、他の命令との少なくとも１つを含む、任意の適切な命令、データ、又は情報を格納しうる。デバイス可読媒体ＱＱ１８０は、処理回路ＱＱ１７０によって行われた任意の演算値、及び／又はインタフェースＱＱ１９０を介して受信された任意のデータを格納するために使用されうる。いくつかの実施形態では、処理回路ＱＱ１７０及びデバイス読取可能媒体ＱＱ１８０が一体化されていると見なされる場合がある。
【００８１】
インタフェースＱＱ１９０は、ネットワークノードＱＱ１６０、ネットワークＱＱ１０６、及び／又はＷＤ ＱＱ１１０間のシグナリング及び／又はデータの有線又は無線通信に使用される。図示されるように、インタフェースＱＱ１９０は、例えば有線コネクションを介してネットワークＱＱ１０６との間でデータを送受信するための（複数の）ポート／端子ＱＱ１９４を備える。インタフェースＱＱ１９０は更に、アンテナＱＱ１６２に結合されうるか又は特定の実施形態ではその一部でありうる無線フロントエンド回路ＱＱ１９２を含む。無線フロントエンド回路ＱＱ１９２は、フィルタＱＱ１９８及び増幅器ＱＱ１９６を備える。無線フロントエンド回路ＱＱ１９２は、アンテナＱＱ１６２及び処理回路ＱＱ１７０に接続されてもよい。無線フロントエンド回路は、アンテナＱＱ１６２と処理回路ＱＱ１７０との間で通信される信号を調整するように構成されうる。無線フロントエンド回路ＱＱ１９２は、無線コネクションを介して他のネットワークノード又はＷＤへ送出されるデジタルデータを受信しうる。無線フロントエンド回路ＱＱ１９２は、フィルタＱＱ１９８及び／又は増幅器ＱＱ１９６の組み合わせを用いて、デジタルデータを、適切なチャネル及び帯域幅パラメータを有する無線信号に変換しうる。その後、無線信号は、アンテナＱＱ１６２を介して送信されうる同様に、データを受信する場合、アンテナＱＱ１６２は、無線信号を収集し、当該無線信号は無線フロントエンド回路ＱＱ１９２によってデジタルデータに変換される。デジタルデータは、処理回路ＱＱ１７０に渡われる。他の実施形態では、インタフェースは、異なるコンポーネント及び／又はコンポーネントの異なる組み合わせを含みうる。
【００８２】
特定の代替実施形態では、ネットワークノードＱＱ１６０は別個の無線フロントエンド回路ＱＱ１９２を含んでいなくてもよく、その代わりに、処理回路ＱＱ１７０が、無線フロントエンド回路を含み、別個の無線フロントエンド回路ＱＱ１９２を伴わずにアンテナＱＱ１６２に接続されてもよい。同様に、いくつかの実施形態では、ＲＦトランシーバ回路ＱＱ１７２の全て又はいくつかは、インタフェースＱＱ１９０の一部とみなされうる。更に他の実施形態では、インタフェースＱＱ１９０は、無線ユニット（図示せず）の一部として、１つ以上のポート又は端子ＱＱ１９４、無線フロントエンド回路ＱＱ１９２、及びＲＦトランシーバ回路ＱＱ１７２を含みうるとともに、インタフェースＱＱ１９０は、デジタルユニット（図示せず）の一部であるベースバンド処理回路ＱＱ１７４と通信しうる。
【００８３】
アンテナＱＱ１６２は、無線信号を送信及び／又は受信するように構成された１つ以上のアンテナ又はアンテナアレイを含みうる。アンテナＱＱ１６２は、無線フロントエンド回路ＱＱ１９０に結合されうるとともに、データ及び／又は信号を無線で送受信することが可能な任意のタイプのアンテナでありうる。いくつかの実施形態では、アンテナＱＱ１６２は、例えば２ＧＨｚと６６ＧＨｚとの間で無線信号を送受信するように動作可能な、１つ以上の無指向性アンテナ、セクタアンテナ又はパネルアンテナを含んでもよい。無指向性アンテナは、任意の方向において無線信号を送受信するために使用されうる。セクタアンテナは、特定の領域内のデバイスからの無線信号を送受信するために使用されうる。パネルアンテナは、比較的直線状に無線信号を送受信するために使用される見通し内アンテナでありうる。いくつかの例では、２つ以上のアンテナの使用はＭＩＭＯと称されうる。いくつかの実施形態では、アンテナＱＱ１６２は、ネットワークノードＱＱ１６０とは別個であってもよく、インタフェース又はポートを介してネットワークノードＱＱ１６０に接続可能であってもよい。
【００８４】
アンテナＱＱ１６２、インタフェースＱＱ１９０、及び／又は処理回路ＱＱ１７０は、ネットワークノードによって実行されるものとして本明細書で説明される任意の受信動作及び／又は特定の取得動作を実行するように構成されうる。任意の情報、データ及び／又は信号は、無線デバイス、別のネットワークノード、及び／又は任意の他のネットワーク機器から受信されうる。同様に、アンテナＱＱ１６２、インタフェースＱＱ１９０、及び／又は処理回路ＱＱ１７０は、ネットワークノードによって実行されるものとして本明細書で説明される任意の送信動作を実行するように構成されうる。任意の情報、データ及び／又は信号は、無線デバイス、別のネットワークノード、及び／又は任意の他のネットワーク機器へ送信されうる。
【００８５】
電力回路ＱＱ１８７は、電力管理回路を含みうるか又は電力管理回路に結合されうるとともに、本明細書に記載の機能を実行するための電力をネットワークノードＱＱ１６０のコンポーネントに供給するように構成される。電力回路ＱＱ１８７は、電源ＱＱ１８６から電力を受信しうる。電源ＱＱ１８６及び／又は電力回路ＱＱ１８７は、それぞれのコンポーネントに適した形式で（例えば、各コンポーネントに必要な電圧及び電流レベルで）ネットワークノードＱＱ１６０の様々なコンポーネントに電力を供給するように構成されうる。電源ＱＱ１８６は、電力回路ＱＱ１８７及び／又はネットワークノードＱＱ１６０に含まれてもよいし、又はその外部に設けられてもよい。例えば、ネットワークノードＱＱ１６０は、電気ケーブル等の入力回路又はインタフェースを介して、外部電源（例えば、電気コンセント）に接続可能であってもよく、それにより外部電源が電力回路ＱＱ１８７に電力を供給する。更なる例として、電源ＱＱ１８６は、電力回路ＱＱ１８７に接続又は統合される、バッテリ又はバッテリパックの形態の電源を含みうる。外部電源に障害が発生した場合、バッテリがバックアップ電力を供給しうる。光起電デバイスのような他のタイプの電源も使用されうる。
【００８６】
ネットワークノードＱＱ１６０の代替的な実施形態は、本明細書に記載の機能のいずれか、及び／又は本明細書に記載の主題をサポートするために必要な任意の機能を含む、ネットワークノードの機能のある態様を提供することに関与しうる、図ＱＱ１に示されるもの以外の追加のコンポーネントを含みうる。例えば、ネットワークノードＱＱ１６０は、ネットワークノードＱＱ１６０への情報の入力を可能にし、かつ、ネットワークノードＱＱ１６０からの情報の出力を可能にするユーザインタフェース機器を含みうる。これにより、ユーザは、ネットワークノードＱＱ１６０の診断、保守、修理、及び他の管理機能を行いうる。
【００８７】
本明細書で使用されるように、無線デバイス（ＷＤ）は、ネットワークノード及び／又は他の無線デバイスと無線で通信するように、能力を有する、構成された、配置された及び／又は動作可能なデバイスを指す。特に断りの無い限り、ＷＤとの用語、本明細書ではユーザ装置（ＵＥ）と互換的に使用されうる。無線通信は、電磁波、電波、赤外線、及び／又は空気を介して情報を伝達するのに適した他のタイプの信号を使用して、無線信号を送信及び／又は受信することを伴いうる。いくつかの実施形態では、ＷＤは、直接的なヒューマンインタラクションを伴わずに情報を送信及び／又は受信するように構成されうる。例えば、ＷＤは、所定のスケジュールで、内部又は外部のイベントによってトリガされたとき、又はネットワークからの要求に応答して、ネットワークに情報を送信するように設計されてもよい。ＷＤの例には、スマートフォン、携帯電話、voice over IP（ＶｏＩＰ）電話、無線ローカルループ電話、デスクトップコンピュータ、パーソナルデジタルアシスタント（ＰＤＡ）、無線カメラ、ゲーム機又はデバイス、音楽ストレージ、再生装置、ウェアラブル端末デバイス、無線エンドポイント、移動局、タブレット、ラップトップ、laptop-embedded equipment（ＬＥＥ）、laptop-mounted equipment（ＬＭＥ）、スマートデバイス、無線カスタマー構内設備（ＣＰＥ：customer-premise equipment）、車載無線端末デバイス等が含まれるが、これらに限定されない。ＷＤは、例えば、サイドリンク通信、vehicle-to-vehicle（Ｖ２Ｖ）、vehicle-to-infrastructure（Ｖ２Ｉ）、vehicle-to-everything（Ｖ２Ｘ）のための３ＧＰＰ標準規格を実装することによって、device-to-device（Ｄ２Ｄ）通信をサポートすることがあり、この場合、Ｄ２Ｄ通信デバイスと称されることがある。更に別の具体例として、Internet of Things（ＩｏＴ）シナリオでは、ＷＤは、モニタリング及び／又は測定を実行し、そのようなモニタリング及び／又は測定の結果を別のＷＤ及び／又はネットワークノードに送信するマシン又は他のデバイスを表しうる。この場合、ＷＤは、３ＧＰＰコンテキストではＭＴＣデバイスと称されうるmachine-to-machine（Ｍ２Ｍ）デバイスでありうる。１つの具体例として、ＷＤは、３ＧＰＰのnarrow band（狭帯域）internet of things（ＮＢ−ＩｏＴ）標準規格を実装するＵＥでありうる。そのようなマシン又はデバイスの具体例は、センサ、電力メータ等の計量デバイス、産業機械、又は家庭用若しくは個人用機器（例えば、冷蔵庫、テレビ等）、個人用ウェアラブル（例えば、時計、フィットネストラッカー等）である。他のシナリオでは、ＷＤは、その動作状態、又はその動作に関連する他の機能を
モニタリング及び／又は報告することができる車両又は他の機器を表しうる。上述のようなＷＤは、無線コネクションのエンドポイントを表してもよく、その場合、デバイスは無線端末と称されうる。更に、上述のようなＷＤは、モバイルであってもよく、その場合、モバイルデバイス又はモバイル端末とも称されうる。
【００８８】
図示されるように、無線デバイスＱＱ１１０は、アンテナＱＱ１１１、インタフェースＱＱ１１４、処理回路ＱＱ１２０、デバイス読取可能媒体ＱＱ１３０、ユーザインタフェース機器ＱＱ１３２、補助装置ＱＱ１３４、電源ＱＱ１３６、及び電力回路ＱＱ１３７を備える。ＷＤ ＱＱ１１０は、例えば、例を挙げるだけでも、ＧＳＭ、ＷＣＤＭＡ、ＬＴＥ、ＮＲ、ＷｉＦｉ、ＷｉＭＡＸ、又はＢｌｕｅｔｏｏｔｈ無線技術等の、ＷＤ ＱＱ１１０によってサポートされる異なる無線技術のために、図示されているコンポーネントのうちの１つ以上から成る複数のセットを含みうる。これらの無線技術は、ＷＤ ＱＱ１１０内の他のコンポーネントと同一の又は異なるチップ又はチップセットに統合されうる。
【００８９】
アンテナＱＱ１１１は、無線信号を送信及び／又は受信するように構成された１つ以上のアンテナ又はアンテナアレイを含みうるとともに、インタフェースＱＱ１１４に接続される。特定の代替の実施形態では、アンテナＱＱ１１１は、ＷＤ ＱＱ１１０とは別個であってもよく、インタフェース又はポートを介してＷＤ ＱＱ１１０に接続可能であってもよい。アンテナＱＱ１１１、インタフェースＱＱ１１４、及び／又は処理回路ＱＱ１２０は、ＷＤによって実行されるものとして本明細書で説明される任意の送信動作を実行するように構成されうる。任意の情報、データ、及び／又は信号は、ネットワークノード及び／又は別のＷＤから受信されうる。いくつかの実施形態では、無線フロントエンド回路及び／又はアンテナＱＱ１１１は、インタフェースとみなされうる。
【００９０】
図示されるように、インタフェースＱＱ１１４は、無線フロントエンド回路ＱＱ１１２及びアンテナＱＱ１１１を備える。無線フロントエンド回路ＱＱ１１２は、１つ以上のフィルタＱＱ１１８及び増幅器ＱＱ１１６を備える。無線フロントエンド回路ＱＱ１１４は、アンテナＱＱ１１１及び処理回路ＱＱ１２０に接続され、アンテナＱＱ１１１と処理回路ＱＱ１２０との間で通信される信号を調整するように構成される。無線フロントエンド回路ＱＱ１１２は、アンテナＱＱ１１１に結合されてもよいし、又はその一部であってもよい。いくつかの実施形態では、ＷＤ ＱＱ１１０は別個の無線フロントエンド回路ＱＱ１１２を含まなくてもよく、むしろ、処理回路ＱＱ１２０が無線フロントエンド回路を含み、アンテナＱＱ１１１に接続されてもよい。同様に、いくつかの実施形態では、ＲＦトランシーバ回路ＱＱ１２２のいくつか又は全ては、インタフェースＱＱ１１４の一部とみなされうる。無線フロントエンド回路ＱＱ１１２は、無線コネクションを介して他のネットワークノード又はＷＤに送出されるデジタルデータを受信しうる。無線フロントエンド回路ＱＱ１１２は、フィルタＱＱ１１８及び／又は増幅器ＱＱ１１６の組み合わせを用いて、デジタルデータを、適切なチャネル及び帯域幅パラメータを有する無線信号に変換しうる。その後、無線信号は、アンテナＱＱ１１１を介して送信されうる同様に、データを受信する場合、アンテナＱＱ１１１は、無線信号を収集し、当該無線信号は無線フロントエンド回路ＱＱ１１２によってデジタルデータに変換される。デジタルデータは、処理回路ＱＱ１２０に渡われる。他の実施形態では、インタフェースは、異なるコンポーネント及び／又はコンポーネントの異なる組み合わせを含みうる。
【００９１】
処理回路ＱＱ１２０は、マイクロプロセッサ、コントローラ、マイクロコントローラ、中央演算処理装置、デジタルシグナルプロセッサ、特定用途向け集積回路、フィールドプログラマブルゲートアレイ、又は任意の他の適切なコンピューティングデバイス、リソース、又はハードウェア、ソフトウェア及び／又は符号化ロジックの組み合わせ、のうちの１つ以上の組み合わせを備えてよく、これらは、単独で提供、又はデバイス読取可能媒体ＱＱ１３０、ＷＤ ＱＱ１１０の機能等の、他のＷＤ ＱＱ１１０コンポーネントと併用して提供するように動作可能である。そのような機能は、本明細書で説明される様々な無線フィーチャ、又は利益のいずれかを提供することを含みうる。例えば、処理回路ＱＱ１２０は、本明細書で開示される機能を提供するために、デバイス読取可能媒体ＱＱ１３０又は処理回路ＱＱ１２０内のメモリに格納された命令を実行しうる。
【００９２】
図示されるように、処理回路ＱＱ１２０は、ＲＦトランシーバ回路ＱＱ１２２、ベースバンド処理回路ＱＱ１２４、及びアプリケーション処理回路ＱＱ１２６のうちの１つ以上を含む。他の実施形態では、処理回路は、異なるコンポーネント及び／又はコンポーネントの異なる組み合わせを含みうる。いくつかの実施形態では、ＷＤ ＱＱ１１０の処理回路ＱＱ１２０はＳＯＣを備えうる。いくつかの実施形態では、ＲＦトランシーバ回路ＱＱ１２２、ベースバンド処理回路ＱＱ１２４、及びアプリケーション処理回路ＱＱ１２６は、別個のチップ又はチップセット上にあってもよい。代替の実施形態では、ベースバンド処理回路ＱＱ１２４及びアプリケーション処理回路ＱＱ１２６の一部又は全部は、１つのチップ又はチップセットに結合されてもよく、ＲＦトランシーバ回路ＱＱ１２２は別個のチップ又はチップセット上にあってもよい。更に代替の実施形態では、ＲＦトランシーバ回路ＱＱ１２２及びベースバンド処理回路ＱＱ１２４の一部又は全部は、同一のチップ又はチップセット上にあってもよく、アプリケーション処理回路ＱＱ１２６は、別個のチップ又はチップセット上にあってもよい。更に他の代替の実施形態では、ＲＦトランシーバ回路ＱＱ１２２、ベースバンド処理回路ＱＱ１２４、及びアプリケーション処理回路ＱＱ１２６の一部又は全部は、同一のチップ又はチップセットにおいて結合されてもよい。いくつかの実施形態では、ＲＦトランシーバ回路ＱＱ１２２は、インタフェースＱＱ１１４の一部であってもよい。ＲＦトランシーバ回路ＱＱ１２２は、処理回路ＱＱ１２０のためにＲＦ信号を調整しうる。
【００９３】
ある実施形態では、ＷＤによって実行されるものとして本明細書に記載の機能の一部又は全部は、ある実施形態ではコンピュータ読取可能記憶媒体でありうるデバイス読取可能媒体ＱＱ１３０上に格納された命令を実行する処理回路ＱＱ１２０によって提供されうる。代替の実施形態では、当該機能の一部又は全部は、ハードワイヤード方式等で、別個の又は個別のデバイス読取可能記憶媒体上に格納された命令を実行することなく、処理回路ＱＱ１２０によって提供されうる。これらの特定の実施形態のいずれにおいても、デバイス読取可能記憶媒体上に格納された命令を実行するか否かにかかわらず、処理回路ＱＱ１２０は、説明される機能を実行するように構成されうる。そのような機能によって提供される利点は、処理回路ＱＱ１２０のみ、又はＷＤ ＱＱ１１０の他のコンポーネントに限定されず、ＷＤ ＱＱ１１０全体によって、及び／又はエンドユーザ及び無線ネットワーク全体によって享受される。
【００９４】
処理回路ＱＱ１２０は、ＷＤによって実行されるものとして本明細書に記載の任意の判定、計算、又は類似の動作（例えば、ある取得動作）を実行するように構成されうる。処理回路ＱＱ１２０によって実行されるようなこれらの動作は、例えば、取得された情報を他の情報に変換すること、取得された情報又は変換された情報を、ＷＤ ＱＱ１１０により格納された情報と比較すること、及び／又は取得された情報又は変換された情報に基づいて１つ以上の動作を実行すること、及び上記の処理の結果として判定を行うことによって、処理回路ＱＱ１２０によって取得された情報を処理することを含みうる。
【００９５】
デバイス読取可能媒体ＱＱ１３０は、処理回路ＱＱ１２０によって実行されることが可能な、コンピュータプログラムと、ソフトウェアと、ロジック、ルール、コード、テーブル等のうちの１つ以上を含むアプリケーションと、他の命令とのうちの少なくとも１つを格納するように動作可能でありうる。デバイス読取可能媒体ＱＱ１３０は、コンピュータメモリ（例えば、ランダムアクセスメモリ（ＲＡＭ）又は読み出し専用メモリ（ＲＯＭ））、大容量記憶媒体（例えば、ハードディスク）、リムーバブル記憶媒体（例えば、コンパクトディスク（ＣＤ）又はデジタルビデオディスク（ＤＶＤ））、及び／又は処理回路ＱＱ１２０によって使用されうる情報、データ及び／又は命令を格納する任意の他の揮発性又は不揮発性、非一時的なデバイス読取可能及び／又はコンピュータ実行可能メモリデバイスを含みうる。いくつかの実施形態では、処理回路ＱＱ１２０及びデバイス読取可能媒体ＱＱ１３０が一体化されていると見なされる場合がある。
【００９６】
ユーザインタフェース機器ＱＱ１３２は、人間のユーザがＷＤ ＱＱ１１０とインタラクションすることを可能にするコンポーネントを提供しうる。このようなインタラクションは、視覚的、聴覚的、触覚的等の多くの形態でありうる。ユーザインタフェース機器ＱＱ１３２は、ユーザへの出力を生成するように、及びユーザがＷＤ ＱＱ１１０に入力を提供することを可能にするように動作可能でありうる。インタラクションのタイプは、ＷＤ ＱＱ１１０に組み込まれたユーザインタフェース機器ＱＱ１３２のタイプに応じて変わりうる。例えば、ＷＤ ＱＱ１１０がスマートフォンである場合、インタラクションはタッチスクリーンを介するものでありうる。ＷＤ ＱＱ１１０がスマートメーターである場合、インタラクションは使用量（例えば、使用されるガロン数）を提供する画面又は（例えば、煙が検知された場合に）音声アラートを提供するスピーカを介するものでありうる。ユーザインタフェース機器ＱＱ１３２は、入力インタフェース、デバイス及び回路と、出力インタフェース、デバイス及び回路とを含みうる。ユーザインタフェース装置ＱＱ１３２は、ＷＤ ＱＱ１１０への情報の入力を可能にするように構成され、処理回路ＱＱ１２０が入力情報を処理することを可能にするように処理回路ＱＱ１２０に接続される。ユーザインタフェース機器ＱＱ１３２は、例えば、マイクロフォン、近接センサ若しくは他のセンサ、キー／ボタン、タッチディスプレイ、１つ以上のカメラ、ＵＳＢポート、又は他の入力回路を含みうる。ユーザインタフェース機器ＱＱ１３２は更に、ＷＤ ＱＱ１１０からの情報の出力を可能にし、処理回路ＱＱ１２０がＷＤ ＱＱ１１０から情報を出力することを可能にするように構成される。ユーザインタフェース機器ＱＱ１３２は、例えば、スピーカ、ディスプレイ、振動回路、ＵＳＢポート、ヘッドホンインタフェース、又は他の出力回路を含みうる。ユーザインタフェース機器ＱＱ１３２の１つ以上の入出力インタフェース、デバイス、及び回路を使用して、ＷＤ ＱＱ１１０は、エンドユーザ及び／又は無線ネットワークと通信しうるとともに、本明細書に記載の機能からの利点をエンドユーザ及び／又は無線ネットワークが享受できるようにしうる。
【００９７】
補助装置ＱＱ１３４は、一般にＷＤによって実行されない可能性があるより具体的な機能を提供するように動作可能である。これは、様々な目的のために測定を行うための専用センサ、有線通信等の追加のタイプの通信のためのインタフェースを含みうる。補助装置ＱＱ１３４のコンポーネントを含むこと及び当該コンポーネントのタイプは、実施形態及び／又はシナリオに応じて変わりうる。
【００９８】
電源ＱＱ１３６は、いくつかの実施形態ではバッテリ又はバッテリパックの形態でありうる。外部電源（例えば、電気コンセント）、光起電力デバイス、又はパワーセル等の、他のタイプの電源も使用されうる。ＷＤ ＱＱ１１０は更に、電源ＱＱ１３６からの電力を、電源ＱＱ１３６からの電力を必要とするＷＤ ＱＱ１１０の種々の部分に送り、本明細書に記載される又は示される任意の機能を実行するための電力回路ＱＱ１３７を含みうる。電力回路ＱＱ１３７は、ある実施形態では電力管理回路を含みうる。電力回路ＱＱ１３７は、追加的又は代替的には、外部電源から電力を受けるように動作可能であってもよく、その場合、ＷＤ ＱＱ１１０は、入力回路又は電力ケーブル等のインタフェースを介して外部電源（電気コンセント等）に接続可能でありうる。ある実施形態において、電力回路ＱＱ１３７は更に、外部電源から電源ＱＱ１３６に電力を送るように動作可能であってもよい。これは、例えば電源ＱＱ１３６の充電のためでありうる。電力回路ＱＱ１３７は、電力が供給されるＷＤ ＱＱ１１０のそれぞれのコンポーネントに適した電力にするために、電源ＱＱ１３６からの電力に対して任意の調整、変換、又は他の修正を行いうる。
【００９９】
図ＱＱ２：いくつかの実施形態に係るユーザ装置
【０１００】
図ＱＱ２は、本明細書に記載の様々な態様に係るＵＥの一実施形態を示す。本明細書で使用されるように、ユーザ装置又はＵＥは、必ずしも、関連するデバイスの所有及び／又は操作を行う人間のユーザという意味でユーザを有するとは限らない。代わりに、ＵＥは、人間のユーザへの販売又は人間のユーザによる操作が意図されているが、特定の人間のユーザ（例えば、スマートスプリンクラコントローラ）に関連付けられていなくてもよい、又は最初は関連付けられていなくてもよいデバイスを表しうる。あるいは、ＵＥは、エンドユーザへの販売又はエンドユーザによる操作を意図されていないが、ユーザ（例えば、スマート電力メータ）に関連付けられうるか又は当該ユーザの利益のために操作されうるデバイスを表しうる。ＵＥ ＱＱ２２００は、ＮＢ−ＩｏＴ ＵＥ、マシンタイプ通信（ＭＴＣ）ＵＥ、及び／又は拡張ＭＴＣ（ｅＭＴＣ）ＵＥを含む、第３世代パートナシッププロジェクト（３ＧＰＰ）によって特定される任意のＵＥでありうる。図ＱＱ２に示されるように、ＵＥ ＱＱ２００は、３ＧＰＰのＧＳＭ、ＵＭＴＳ、ＬＴＥ、及び／又は５Ｇ標準規格等の、第３世代パートナーシッププロジェクト（３ＧＰＰ）によって公表された１つ以上の通信標準規格に従って通信するように設定されたＷＤの一例である。前述のように、ＷＤ及びＵＥとの用語は交換可能に使用されうる。したがって、図ＱＱ２はＵＥであるが、本明細書で説明されるコンポーネントはＷＤに等しく適用可能であり、その逆も同様である。
【０１０１】
図ＱＱ２において、ＵＥ ＱＱ２００は、処理回路ＱＱ２０１を備え、当該処理回路は、入出力インタフェースＱＱ２０５と、無線周波数（ＲＦ）インタフェースＱＱ２０９と、ネットワーク接続インタフェースＱＱ２１１と、ランダムアクセスメモリ（ＲＡＭ）ＱＱ２１７、読み出し専用メモリ（ＲＯＭ）ＱＱ２１９、及び記憶媒体ＱＱ２２１等を含むメモリＱＱ２１５と、通信サブシステムＱＱ２３１と、電源ＱＱ２３３と、任意の他のコンポーネントとのうちの少なくとも１つ、又はそれらの任意の組み合わせに、動作可能に結合されている。記憶媒体ＱＱ２２１は、オペレーティングシステムＱＱ２２３、アプリケーションプログラムＱＱ２２５、及びデータＱＱ２２７を含む。他の実施形態では、記憶媒体ＱＱ２２１が他の類似のタイプの情報を含みうる。あるＵＥは、図ＱＱ２に示されるコンポーネントの全て又は当該コンポーネントのサブセットのみを利用しうる。コンポーネント間の統合のレベルは、１つのＵＥから別のＵＥへと変化しうる。更に、あるＵＥは、複数のプロセッサ、メモリ、トランシーバ、送信機、受信機等の、コンポーネントの複数のインスタンスを含みうる。
【０１０２】
図ＱＱ２において、処理回路ＱＱ２０１は、コンピュータ命令及びデータを処理するように構成されうる。処理回路ＱＱ２０１は、１つ以上のハードウェア実装ステートマシン（例えば、ディスクリートロジック、ＦＰＧＡ、ＡＳＩＣ等）、プログラマブルロジックと適切なファームウェア、１つ以上の格納されたプログラム、マイクロプロセッサ又はデジタルシグナルプロセッサ（ＤＳＰ）等の汎用プロセッサ、並びに適切なソフトウェア、又は上記の任意の組み合わせ等の、マシン読取可能コンピュータプログラムとしてメモリに格納されたマシン命令を実行するように動作可能な任意のシーケンシャルステートマシンを実装するように構成されうる。例えば、処理回路ＱＱ２０１は、２つの中央処理装置（ＣＰＵ）を含みうる。データは、コンピュータによる使用に適した形態の情報でありうる。
【０１０３】
図示された実施形態では、入出力インタフェースＱＱ２０５は、入力デバイス、出力装置、又は入出力デバイスに通信インタフェースを提供するように構成されうる。ＵＥ ＱＱ２００は、入出力インタフェースＱＱ２０５を介して出力デバイスを使用するように構成されうる。出力デバイスは、入力デバイスと同じタイプのインタフェースポートを使用しうる。例えば、ＵＥ ＱＱ２００への入力及びＵＥ ＱＱ２００からの出力を提供するためにＵＳＢポートが使用されうる。出力デバイスは、スピーカ、サウンドカード、ビデオカード、ディスプレイ、モニタ、プリンタ、アクチュエータ、エミッタ、スマートカード、別の出力デバイス、又はそれらの任意の組み合わせでありうる。ＵＥ ＱＱ２００は、ユーザがＵＥ ＱＱ２００に情報を取り込むことができるように、入出力インタフェースＱＱ２０５を介して入力デバイスを使用するように構成されうる。入力デバイスは、タッチセンシティブ又はプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含みうる。プレゼンスセンシティブディスプレイは、ユーザからの入力を感知するために、容量性又は抵抗性タッチセンサを含みうる。センサは、例えば、加速度計、ジャイロスコープ、傾斜センサ、力センサ、磁力計、光学センサ、近接センサ、他の同様のセンサ、又はそれらの任意の組み合わせでありうる。例えば、入力デバイスは、加速度計、磁力計、デジタルカメラ、マイクロフォン、及び光センサでありうる。
【０１０４】
図ＱＱ２において、ＲＦインタフェースＱＱ２０９は、送信機、受信機、及びアンテナ等のＲＦコンポーネントに通信インタフェースを提供するように構成されうる。ネットワーク接続インタフェースＱＱ２１１は、ネットワークＱＱ２４３ａへの通信インタフェースを提供するように構成されうる。ネットワークＱＱ２４３ａは、ローカルエリアネットワーク（ＬＡＮ）、ワイドエリアネットワーク（ＷＡＮ）、コンピュータネットワーク、無線ネットワーク、遠隔通信ネットワーク、他の同様のネットワーク、又はそれらの任意の組み合わせ等の、有線及び／又は無線ネットワークを含みうる。例えば、ネットワークＱＱ２４３ａは、Ｗｉ−Ｆｉネットワークを含みうる。ネットワーク接続インタフェースＱＱ２１１は、イーサネット、ＴＣＰ／ＩＰ、ＳＯＮＥＴ、ＡＴＭ等の１つ以上の通信プロトコルに従って、通信ネットワークを介して１つ以上の他のデバイスと通信するために使用される受信機及び送信機インタフェースを含むように構成されうる。ネットワーク接続インタフェースＱＱ２１１は、通信ネットワークリンク（例えば、光、電気等）に適した受信機及び送信機の機能を実装しうる。送信機機能及び受信機機能は、回路コンポーネント、ソフトウェア、又はファームウェアを共有していてもよいし、あるいは、別々に実装されていてもよい。
【０１０５】
ＲＡＭ ＱＱ２１７は、オペレーティングシステム、アプリケーションプログラム、及びデバイスドライバ等のソフトウェアプログラムの実行中にデータ又はコンピュータ命令の記憶又はキャッシュを提供するために、バスＱＱ２０２を介して処理回路ＱＱ２０１にインタフェースを行うように構成されうる。ＲＯＭ ＱＱ２１９は、コンピュータ命令又はデータを処理回路ＱＱ２０１に提供するように構成されうる。例えば、ＲＯＭ ＱＱ２１９は、不揮発性メモリに格納された、キーボードからの基本的な入出力（Ｉ／Ｏ）、スタートアップ、又はキーストロークの受信のような、基本的なシステム機能のための不変の低レベルシステムコード又はデータを格納するように構成されうる。記憶媒体ＱＱ２２１は、ＲＡＭ、ＲＯＭ、プログラマブル読み出し専用メモリ（ＰＲＯＭ）、消去可能プログラマブル読み出し専用メモリ（ＥＰＲＯＭ）、電気的消去可能プログラマブル読み出し専用メモリ（ＥＥＰＲＯＭ）、磁気ディスク、光ディスク、フロッピーディスク、ハードディスク、リムーバブルカートリッジ、又はフラッシュドライブ等のメモリを含むように構成されうる。一例では、記憶媒体ＱＱ２２１は、オペレーティングシステムＱＱ２２３、ウェブブラウザアプリケーション、ウィジェット又はガジェットエンジン又は他のアプリケーション等のアプリケーションプログラムＱＱ２２５、及びデータファイルＱＱ２２７を含むように構成されうる。記憶媒体ＱＱ２２１は、ＵＥ ＱＱ２００による使用のために、様々なオペレーティングシステムのうちのいずれか、又はオペレーティングシステムの組み合わせを格納しうる。
【０１０６】
記憶媒体ＱＱ２２１は、redundant array of independent disks（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ ＳＤＲＡＭ、加入者識別モジュール又はリムーバブルユーザ識別（ＳＩＭ／ＲＵＩＭ）モジュール等のスマートカードメモリ、他のメモリ、又はそれらの任意の組合せ等の、複数の物理ドライブユニットを含むように構成されうる。記憶媒体ＱＱ２２１は、データをオフロードする又はデータをアップロードするために、一時的又は非一時的なメモリ媒体に格納されたコンピュータ実行可能命令、アプリケーションプログラム等にＵＥ ＱＱ２００がアクセスすることを可能にしうる。通信システムを利用するもの等の製品は、デバイス読取可能媒体を含みうる記憶媒体ＱＱ２２１において有形に具現化されうる。
【０１０７】
図ＱＱ２において、処理回路ＱＱ２０１は、通信サブシステムＱＱ２３１を使用してネットワークＱＱ２４３ｂと通信するように構成されうる。ネットワークＱＱ２４３ａ及びネットワークＱＱ２４３ｂは、同じネットワークであってもよいし、異なるネットワークであってもよい。通信サブシステムＱＱ２３１は、ネットワークＱＱ２４３ｂと通信するために使用される１つ以上のトランシーバを含むように構成されうる。例えば、通信サブシステムＱＱ２３１は、ＩＥＥＥ８０２．ＱＱ２、ＣＤＭＡ、ＷＣＤＭＡ、ＧＳＭ、ＬＴＥ、ＵＴＲＡＮ、ＷｉＭａｘ等の、１つ以上の通信プロトコルに従って、無線アクセスネットワーク（ＲＡＮ）の他のＷＤ、ＵＥ、又は基地局等の、無線通信が可能な他のデバイスの１つ以上のリモートトランシーバと通信するために使用される１つ以上のトランシーバを含むように構成されうる。各トランシーバは、ＲＡＮリンクに適した送信機又は受信機の機能（例えば、周波数割り当て等）をそれぞれ実装するために、送信機ＱＱ２３３及び／又は受信機ＱＱ２３５を含みうる。更に、各トランシーバの送信機ＱＱ２３３及び受信機ＱＱ２３５は、回路コンポーネント、ソフトウェア、又はファームウェアを共有していてもよいし、あるいは、別々に実装されていてもよい。
【０１０８】
図示された実施形態では、通信サブシステムＱＱ２３１の通信機能は、データ通信、音声通信、マルチメディア通信、Ｂｌｕｅｔｏｏｔｈ等の短距離通信、近距離通信、位置を判定するための全地球測位システム（ＧＰＳ）の使用等の位置ベース通信、他の同様の通信機能、又はそれらの任意の組み合わせを含みうる。例えば、通信サブシステムＱＱ２３１は、セルラ通信、Ｗｉ−Ｆｉ通信、Ｂｌｕｅｔｏｏｔｈ通信、及びＧＰＳ通信を含みうる。ネットワークＱＱ２４３ｂは、ローカルエリアネットワーク（ＬＡＮ）、ワイドエリアネットワーク（ＷＡＮ）、コンピュータネットワーク、無線ネットワーク、遠隔通信ネットワーク、他の同様のネットワーク、又はそれらの任意の組み合わせ等の、有線及び／又は無線ネットワークを含みうる。例えば、ネットワークＱＱ２４３ｂは、セルラネットワーク、Ｗｉ−Ｆｉネットワーク、及び／又は近距離ネットワークでありうる。電源ＱＱ２１３は、ＵＥ ＱＱ２００のコンポーネントに交流（ＡＣ）又は直流（ＤＣ）電力を供給するように構成されうる。
【０１０９】
本明細書に記載の特徴、利点、及び／又は機能は、ＵＥ ＱＱ２００のコンポーネントのうちの１つで実装されうるか、又はＵＥ ＱＱ２００の複数のコンポーネントに分割されうる。更に、本明細書で説明される特徴、利点、及び／又は機能は、ハードウェア、ソフトウェア、又はファームウェアの任意の組み合わせで実装されうる。一例では、通信サブシステムＱＱ２３１は、本明細書に記載のコンポーネントのうちのいずれかを含むように構成されうる。更に、処理回路ＱＱ２０１は、バスＱＱ２０２を介してそのようなコンポーネントのいずれかと通信するように構成されうる。別の例では、そのようなコンポーネントのいずれも、処理回路ＱＱ２０１によって実行されるときに本明細書に記載の対応する機能を実行する、メモリに格納されたプログラム命令によって表されうる。別の例では、そのようなコンポーネントのいずれかの機能が、処理回路ＱＱ２０１と通信サブシステムＱＱ２３１との間に分配されてもよい。別の例では、そのようなコンポーネントのいずれかの非計算集約型の機能がソフトウェア又はファームウェアで実現されてもよく、計算集約型の機能はハードウェアで実現されてもよい。
【０１１０】
図ＱＱ３：いくつかの実施形態に係る仮想化環境
【０１１１】
図ＱＱ３は、いくつかの実施形態によって実装される機能が仮想化されうる仮想化環境ＱＱ３００を示す概略的なブロック図である。本コンテキストにおいて、仮想化手段は、ハードウェアプラットフォーム、記憶装置及びネットワーキング資源の仮想化を含みうる装置又はデバイスの仮想化バージョンを作成する。本明細書で使用されるように、仮想化は、ノード（例えば、仮想化された基地局又は仮想化された無線アクセスノード）又はデバイス（例えば、ＵＥ、無線デバイス、又は任意の他のタイプの通信デバイス）又はそれらのコンポーネントに適用されることができ、機能の少なくとも一部が１つ以上の仮想コンポーネントとして（例えば、１つ以上のネットワーク内の１つ以上の物理処理ノード上で実行される１つ以上のアプリケーション、コンポーネント、機能、仮想マシン、又はコンテナを介して）実装される実装形態に関連する。
【０１１２】
いくつかの実施形態において、本明細書に記載の機能の一部又は全部は、ハードウェアノードＱＱ３３０の１つ以上によってホストされる１つ以上の仮想環境ＱＱ３００に実装される１つ以上の仮想マシンによって実行される仮想コンポーネントとして実装されてもよい。更に、仮想ノードが無線アクセスノードではない又は無線接続を必要としない実施形態（例えば、コアネットワークノード）では、ネットワークノードは完全に仮想化されてもよい。
【０１１３】
上記機能は、本明細書で開示される実施形態のいくつかについての特徴、機能、及び／又は利点のいくつかを実装するように動作可能な（代替的には、ソフトウェアインスタンス、仮想アプライアンス、ネットワーク機能、仮想ノード、仮想ネットワーク機能等と称されうる）１つ以上のアプリケーションＱＱ３２０によって実装されうる。アプリケーションＱＱ３２０は、処理回路ＱＱ３６０及びメモリＱＱ３９０を含むハードウェアＱＱ３３０を提供する仮想化環境ＱＱ３００で実行される。メモリＱＱ３９０は、処理回路ＱＱ３６０によって実行可能な命令ＱＱ３９５を含み、それによって、アプリケーションＱＱ３２０は、本明細書で開示される特徴、利点、及び／又は機能のうちの１つ以上を提供するように動作可能である。
【０１１４】
仮想化環境ＱＱ３００は、商用オフザシェルフ（ＣＯＴＳ：commercial off-the-shelf）プロセッサ、専用の特定用途向け集積回路（ＡＳＩＣ）、又はデジタル若しくはアナログハードウェアコンポーネント若しくは専用プロセッサを含む任意の他のタイプの処理回路でありうる、１つ以上のプロセッサ又は処理回路ＱＱ３６０のセットを含む汎用又は専用ネットワークハードウェアデバイスＱＱ３３０を備える。各ハードウェアデバイスは、処理回路ＱＱ３６０によって実行される命令ＱＱ３９５又はソフトウェアを一時的に格納するための非永続的メモリでありうるメモリＱＱ３９０−１を備えうる。各ハードウェアデバイスは、物理ネットワークインタフェースＱＱ３８０を含む、ネットワークインタフェースカードとしても知られる１つ以上のネットワークインタフェースコントローラ（ＮＩＣ）ＱＱ３７０を含みうる。各ハードウェアデバイスは更に、処理回路ＱＱ３６０によって実行可能なソフトウェアＱＱ３９５及び／又は命令をその中に格納した、非一時的かつ永続的なマシン読取可能記憶媒体ＱＱ３９０−２を含みうる。ソフトウェアＱＱ３９５は、１つ以上の仮想化レイヤＱＱ３５０（ハイパーバイザとも称される）をインスタンス化するためのソフトウェア、仮想マシンＱＱ３４０を実行するためのソフトウェアと、本明細書に記載のいくつかの実施形態に関連して記載される機能、特徴、及び／又は利点を実行することを可能にするソフトウェアとを含む、あらゆるタイプのソフトウェアを含みうる。
【０１１５】
仮想マシンＱＱ３４０は、仮想処理、仮想メモリ、仮想ネットワークワーキング又はインタフェース、及び仮想ストレージを含み、対応する仮想化レイヤＱＱ３５０又はハイパーバイザによって実行されうる。仮想アプライアンスＱＱ３２０のインスタンスの様々な実施形態は、１つ以上の仮想マシンＱＱ３４０上で実装されてもよく、当該実装は異なる方法で行われてもよい。
【０１１６】
動作中に、処理回路ＱＱ３６０は、ソフトウェアＱＱ３９５を実行して、仮想マシンモニタ（ＶＭＭ）とも称されることがあるハイパーバイザ又は仮想化レイヤＱＱ３５０をインスタンス化する。仮想化レイヤＱＱ３５０は、仮想マシンＱＱ３４０にはネットワーキングハードウェアのように見える仮想オペレーティングプラットフォームを提供しうる。
【０１１７】
図ＱＱ３に示すように、ハードウェアＱＱ３３０は、汎用の又は特定のコンポーネントを有する独立型ネットワークノードでありうる。ハードウェアＱＱ３３０は、アンテナＱＱ３２２５を含みうるとともに、仮想化を通じていくつかの機能を実装しうる。あるいは、ハードウェアＱＱ３３０は、多くのハードウェアノードが連携し、かつ、特にアプリケーションＱＱ３２０のライフサイクル管理を監督する管理及びオーケストレーション（ＭＡＮＯ：management and orchestration）ＱＱ３１００を介して管理される、（データセンタ又はカスタマー構内設備（ＣＰＥ）内のもののような）より大きなハードウェアのクラスタの一部であってもよい。
【０１１８】
ハードウェアの仮想化は、ネットワーク機能仮想化（ＮＦＶ：network function virtualization）と称されるいくつかのコンテキストで行われる。ＮＦＶは、多くのネットワーク機器タイプを、データセンタ内に配置されうる、業界標準の大容量サーバ・ハードウェア、物理スイッチ、及び物理ストレージと、顧客構内設備とに統合するために使用されうる。
【０１１９】
ＮＦＶのコンテキストでは、仮想マシンＱＱ３４０は、あたかも仮想化されていない物理マシン上で実行されているかのように、プログラムを実行する物理マシンのソフトウェア実装であってもよい。複数の仮想マシンＱＱ３４０のそれぞれと、当該仮想マシンを実行するハードウェアＱＱ３３０のその部分は、当該仮想マシン専用のハードウェア、及び／又は当該仮想マシンが複数の仮想マシンＱＱ３４０のうちの他のものと共有するハードウェアであり、個別の仮想ネットワーク要素（ＶＮＥ：virtual network element）を形成する。
【０１２０】
なお、ＮＦＶのコンテキストでは、仮想ネットワーク機能（ＶＮＦ）は、ハードウェアネットワーキングインフラストラクチャＱＱ３３０上の１つ以上の仮想マシンＱＱ３４０で実行され、かつ、図ＱＱ３のアプリケーションＱＱ３２０に対応する、特定のネットワーク機能を処理することに関与する。
【０１２１】
いくつかの実施形態では、それぞれが１つ以上の送信機ＱＱ３２２０及び１つ以上の受信機ＱＱ３２１０を含む１つ以上の無線ユニットＱＱ３２００が、１つ以上のアンテナＱＱ３２２５に結合されうる。無線ユニットＱＱ３２００は、１つ以上の適切なネットワークインタフェースを介してハードウェアノードＱＱ３３０と直接通信しうるとともに、無線アクセスノード又は基地局等の無線機能を仮想ノードに提供するために仮想コンポーネントと組み合わせて使用されうる。
【０１２２】
いくつかの実施形態では、いくつかのシグナリングが、ハードウェアノードＱＱ３３０と無線ユニットＱＱ３２００との間の通信のために代替的に使用されうる制御システムＱＱ３２３０を使用して行われうる。
【０１２３】
図ＱＱ４：いくつかの実施形態による、ホストコンピュータに中間ネットワークを介して接続された遠隔通信ネットワーク
【０１２４】
図ＱＱ４を参照すると、実施形態に従って、通信システムは、３ＧＰＰタイプのセルラネットワーク等の通信ネットワークＱＱ４１０を含み、当該通信ネットワークは、無線アクセスネットワーク等のアクセスネットワークＱＱ４１１と、コアネットワークＱＱ４１４とを含む。アクセスネットワークＱＱ４１１は、それぞれ対応するカバレッジエリアＱＱ４１３ａ，ＱＱ４１３ｂ，ＱＱ４１３ｃを規定する、ＮＢ、ｅＮＢ、ｇＮＢ、又はその他のタイプの無線アクセスポイント等の複数の基地局ＱＱ４１２ａ，ＱＱ４１２ｂ，ＱＱ４１２ｃを備える。各基地局ＱＱ４１２ａ，ＱＱ４１２ｂ，ＱＱ４１２ｃは、有線又は無線コネクションＱＱ４１５を介してコアネットワークＱＱ４１４に接続可能である。カバレッジエリアＱＱ４１３ｃに位置する第１のＵＥ ＱＱ４９１は、対応する基地局ＱＱ４１２ｃに無線で接続する、又は当該基地局によってページングされるように構成される。カバレッジエリアＱＱ４１３ａ内の第２のＵＥ ＱＱ４９２は、対応する基地局ＱＱ４１２ａに無線で接続可能である。この例では、複数のＵＥ ＱＱ４９１，ＱＱ４９２が示されているが、開示された実施形態は、単一のＵＥがカバレッジエリア内にある状況、又は単一のＵＥが対応する基地局ＱＱ４１２に接続している状況にも同様に適用可能である。
【０１２５】
通信ネットワークＱＱ４１０自体は、ホストコンピュータＱＱ４３０に接続され、当該ホストコンピュータは、独立型サーバ、クラウド実装型サーバ、分散型サーバのハードウェア及び／又はソフトウェアで、又はサーバファーム内の処理リソースとして実施されうる。ホストコンピュータＱＱ４３０は、サービスプロバイダの所有であっても制御下にあってもよく、又は、サービスプロバイダによって又はサービスプロバイダの代わりに操作されてもよい。通信ネットワークＱＱ４２０とホストコンピュータＱＱ４３０との間のコネクションＱＱ４２１，ＱＱ４２２は、コアネットワークＱＱ４１４からホストコンピュータＱＱ４３０に直接延びていてもよいし、オプションの中間ネットワークＱＱ４２０を介して延びていてもよい。中間ネットワークＱＱ４２０は、パブリックネットワーク、プライベートネットワーク、又はホストネットワークのうちの１つ以上の組合せであってもよく、中間ネットワークＱＱ４２０は、もしあれば、バックボーンネットワーク又はインターネットであってもよく、特に、中間ネットワークＱＱ４２０は、２つ以上のサブネットワーク（図示せず）を含んでもよい。
【０１２６】
図ＱＱ４の通信システムは、全体として、接続されたＵＥ ＱＱ４９１，ＱＱ４９２のうちの１つとホストコンピュータＱＱ４３０との間の接続性を与える。当該接続性は、オーバー・ザ・トップ（ＯＴＴ：over-the-top）コネクションＱＱ４５０として説明されうる。ホストコンピュータＱＱ４３０及び接続されたＵＥ ＱＱ４９１，ＱＱ４９２は、アクセスネットワークＱＱ４１１、コアネットワークＱＱ４１４、任意の中間ネットワークＱＱ４２０、及び可能性のある更なるインフラストラクチャ（図示せず）を媒介として使用して、ＯＴＴコネクションＱＱ４５０を介してデータ及び／又はシグナリングを通信するように構成される。ＯＴＴコネクションＱＱ４５０は、ＯＴＴコネクションＱＱ４５０が通過する参加通信デバイスが、アップリンク通信及びダウンリンク通信のルーティングに気付かないという意味で、トランスペアレントでありうる。例えば、基地局ＱＱ４１２は、接続されたＵＥ ＱＱ４９１に転送される（例えば、ハンドオーバされる）ホストコンピュータＱＱ４３０から発信されたデータを有する、到着するダウンリンク通信の過去のルーティングについて通知されてなくてもよく、又は通知される必要がなくてもよい。同様に、基地局ＱＱ４１２は、ＵＥ ＱＱ４９１からホストコンピュータＱＱ４３０へ向かう、発信されるアップリンク通信の将来のルーティングを知っている必要はない。
【０１２７】
図ＱＱ５：いくつかの実施形態による、基地局を介し、部分的に無線接続を介してユーザ装置と通信するホストコンピュータ
【０１２８】
図ＱＱ５を参照して、前の段落で説明したＵＥ、基地局及びホストコンピュータの実施形態による実装例を以下で説明する。通信システムＱＱ５００において、ホストコンピュータＱＱ５１０は、通信システムＱＱ５００の、異なる通信デバイスのインタフェースとの有線又は無線接続をセットアップ及び維持するように構成された通信インタフェースＱＱ５１６を含むハードウェアＱＱ５１５を備える。ホストコンピュータＱＱ５１０は、ストレージ能力及び／又は処理能力を有しうる処理回路ＱＱ５１８を更に備える。具体的には、処理回路ＱＱ５１８は、命令を実行するように適合された１つ以上のプログラマブルプロセッサ、特定用途向け集積回路、フィールドプログラマブルゲートアレイ、又はこれらの組み合わせ（図示せず）を備えうる。ホストコンピュータＱＱ５１０は、ホストコンピュータＱＱ５１０内に格納された又はホストコンピュータＱＱ５１０がアクセス可能である、かつ、処理回路ＱＱ５１８によって実行可能であるソフトウェアＱＱ５１１を更に備える。ソフトウェアＱＱ５１１は、ホストアプリケーションＱＱ５１２を含む。ホストアプリケーションＱＱ５１２は、ＵＥ ＱＱ５３０及びホストコンピュータＱＱ５１０で終端するＯＴＴコネクションＱＱ５５０を介して接続するＵＥ ＱＱ５３０等のリモートユーザにサービスを提供するように動作可能でありうる。サービスをリモートユーザに提供する際に、ホストアプリケーションＱＱ５１２は、ＯＴＴコネクションＱＱ５５０を使用して送信されるユーザデータを提供しうる。
【０１２９】
通信システムＱＱ５００は更に、通信システム内に設けられ、かつ、ホストコンピュータＱＱ５１０及びＵＥ ＱＱ５３０と通信することを可能にするハードウェアＱＱ５２５を備える基地局ＱＱ５２０を含む。ハードウェアＱＱ５２５は、通信システムＱＱ５００の、異なる通信デバイスのインタフェースとの有線又は無線コネクションをセットアップ及び維持するための通信インタフェースＱＱ５２６と、基地局ＱＱ５２０によってサービスが行われるカバレッジエリア（図ＱＱ５には図示せず）内に位置するＵＥ ＱＱ５３０との少なくとも無線コネクションＱＱ５７０をセットアップ及び維持するための無線インタフェースＱＱ５２７とを含みうる。通信インタフェースＱＱ５２６は、ホストコンピュータＱＱ５１０へのコネクションＱＱ５６０を容易にするように構成されうる。コネクションＱＱ５６０は、直接的であってもよいし、通信システムのコアネットワーク（図ＱＱ５には図示せず）及び／又は通信システムの外部の１つ以上の中間ネットワークを通過してもよい。図示された実施形態では、基地局ＱＱ５２０のハードウェアＱＱ５２５は、命令を実行するように適合された１つ以上のプログラマブルプロセッサ、特定用途向け集積回路、フィールドプログラマブルゲートアレイ、又はこれらの組み合わせ（図示せず）を備えうる処理回路ＱＱ５２８を更に含む。基地局ＱＱ５２０は、内部に格納されるか又は外部接続を介してアクセス可能なソフトウェアＱＱ５２１を更に有する。
【０１３０】
通信システムＱＱ５００は、既に言及したＵＥ ＱＱ５３０を更に含む。そのハードウェアＱＱ５３５は、ＵＥ ＱＱ５３０が現在位置しているカバレッジエリアにサービスを行う基地局との無線コネクションＱＱ５７０をセットアップ及び維持するように構成された無線インタフェースＱＱ５３７を含みうる。ＵＥ ＱＱ５３０のハードウェアＱＱ５３５は、命令を実行するように適合された１つ以上のプログラマブルプロセッサ、特定用途向け集積回路、フィールドプログラマブルゲートアレイ、又はこれらの組み合わせ（図示せず）を含みうる処理回路ＱＱ５３８を更に含む。ＵＥ ＱＱ５３０は、ＵＥ ＱＱ５３０内に格納された又はＵＥ ＱＱ５３０がアクセス可能である、かつ、処理回路ＱＱ５３８によって実行可能であるソフトウェアＱＱ５３１を更に備える。ソフトウェアＱＱ５３１は、クライアントアプリケーションＱＱ５３２を含む。クライアントアプリケーションＱＱ５３２は、ホストコンピュータＱＱ５１０のサポートにより、ＵＥ ＱＱ５３０を介して人間の又は人間以外のユーザにサービスを提供するように動作可能でありうる。ホストコンピュータＱＱ５１０において、実行中のホストアプリケーションＱＱ５１２は、ＵＥ ＱＱ５３０及びホストコンピュータＱＱ５１０で終端するＯＴＴコネクションＱＱ５５０を介して、実行中のクライアントアプリケーションＱＱ５３２と通信しうる。ユーザにサービスを提供する際、クライアントアプリケーションＱＱ５３２は、ホストアプリケーションＱＱ５１２から要求データを受信し、当該要求データに応じてユーザデータを提供しうる。ＯＴＴコネクションＱＱ５５０は、要求データ及びユーザデータの両方を転送しうる。クライアントアプリケーションＱＱ５３２は、それが提供するユーザデータを生成するためにユーザとインタラクションしうる。
【０１３１】
図ＱＱ５に示されるホストコンピュータＱＱ５１０、基地局ＱＱ５２０、及びＵＥ ＱＱ５３０は、それぞれ、図ＱＱ４のホストコンピュータＱＱ４３０、基地局ＱＱ４１２ａ，ＱＱ４１２ｂ，ＱＱ４１２ｃのうちの１つ、及びＵＥ ＱＱ４９１，Ｑ４９２のうちの１つと、類似又は同一でありうることに留意されたい。即ち、これらのエンティティの内部動作は、図ＱＱ５に示されるようなものであってもよく、独立して、周囲のネットワークトポロジは図ＱＱ４のものであってもよい。
【０１３２】
図ＱＱ５では、あらゆる中間デバイス及びそれらのデバイスを介したメッセージの正確なルーティングに明示的に言及することなく、ＯＴＴコネクションＱＱ５５０が、基地局ＱＱ５２０を介したホストコンピュータＱＱ５１０とＵＥ ＱＱ５３０との間の通信を示すために抽象的に描かれている。ネットワークインフラストラクチャは、ＵＥ ＱＱ５３０から若しくはホストコンピュータＱＱ５１０を操作するサービスプロバイダから、又はその両方から隠すように構成されうるルーティングを決定しうる。ＯＴＴコネクションＱＱ５５０がアクティブである間に、ネットワークインフラストラクチャは、（例えば、負荷の考慮又はネットワークの再設定に基づいて）ルーティングを動的に変更する決定を更に行いうる。
【０１３３】
ＵＥ ＱＱ５３０と基地局ＱＱ５２０との間の無線コネクションＱＱ５７０は、本開示全体にわたって説明される実施形態の教示に従う。様々な実施形態のうちの１つ以上は、無線コネクションＱＱ５７０が最後のセグメントを形成するＯＴＴコネクションＱＱ５５０を使用してＵＥ ＱＱ５３０に提供されるＯＴＴサービスの性能を改善しうる。より正確には、これらの実施形態の教示が、ビデオ処理のためのデブロックフィルタリングを改善することができ、それによって、改善されたビデオ符号化及び／又は復号化等の利点を提供できる。
【０１３４】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータＱＱ５１０とＵＥ ＱＱ５３０との間のＯＴＴコネクションＱＱ５５０を再設定するためのオプションのネットワーク機能があってもよい。ＯＴＴコネクションＱＱ５５０を再設定するための測定手順及び／又はネットワーク機能は、ホストコンピュータＱＱ５１０のソフトウェアＱＱ５１１及びハードウェアＱＱ５１５、又はＵＥ ＱＱ５３０のソフトウェアＱＱ５３１及びハードウェアＱＱ５３５、又はその両方で実装されうる。実施形態では、センサ（図示せず）が、ＯＴＴコネクションＱＱ５５０が通過する通信デバイスに配置されうるか又はそれに関連して配置されうる。当該センサは、上記で例示された、モニタリングされた量の値を供給することによって、又はソフトウェアＱＱ５１１，ＱＱ５３１が当該モニタリングされた量を他の物理量の値から計算又は推定しうる、当該他の物理量の値を供給することによって、測定手順に関与しうる。ＯＴＴコネクションＱＱ５５０の再設定は、メッセージフォーマット、再送設定、好ましいルーティング等を含んでもよく、当該再設定は、基地局ＱＱ５２０に影響を与える必要はなく、基地局ＱＱ５２０には未知であるか又は感知できなくてもよい。そのような手順及び機能は、当該分野では既知でありうるとともに実践されうる。特定の実施形態では、測定は、ホストコンピュータＱＱ５１０の、スループット、伝搬時間、レイテンシ等の測定を容易にする、独自のＵＥシグナリングを含みうる。測定は、ソフトウェアＱＱ５１１及びＱＱ５３１が、伝搬時間、エラー等をモニタリングしながら、ＯＴＴコネクションＱＱ５５０を使用して、メッセージ（特に、空のメッセージ又は「ダミー」メッセージ）を送信させることで実行されうる。
【０１３５】
図ＱＱ６：いくつかの実施形態による、ホストコンピュータ、基地局、及びユーザ装置を含む通信システムにおいて実行される方法
【０１３６】
図ＱＱ６は、一実施形態による、通信システムにおいて実行される方法を示すフローチャートである。通信システムは、図ＱＱ４及び図ＱＱ５を参照して説明されうるホストコンピュータ、基地局、及びＵＥを含む。本開示を簡単にするために、図ＱＱ６に対する図面の言及のみがこのセクションに含まれる。ステップＱＱ６１０で、ホストコンピュータがユーザデータを提供する。ステップＱＱ６１０の（オプションでありうる）サブステップＱＱ６１１では、ホストコンピュータが、ホストアプリケーションを実行することによってユーザデータを提供する。ステップＱＱ６２０で、ホストコンピュータが、ＵＥへのユーザデータを搬送する送信を開始する。（オプションでありうる）ステップＱＱ６３０で、基地局が、本開示全体にわたって説明される実施形態の教示に従って、ホストコンピュータが開始した送信で搬送されたユーザデータをＵＥへ送信する。（オプションでありうる）ステップＱＱ６４０で、ＵＥが、ホストコンピュータによって実行されるホストアプリケーションに関連付けられたクライアントアプリケーションを実行する。
【０１３７】
図ＱＱ７：いくつかの実施形態による、ホストコンピュータ、基地局、及びユーザ装置を含む通信システムにおいて実行される方法
【０１３８】
図ＱＱ７は、一実施形態による、通信システムにおいて実行される方法を示すフローチャートである。通信システムは、図ＱＱ４及び図ＱＱ５を参照して説明されうるホストコンピュータ、基地局、及びＵＥを含む。本開示を簡単にするために、図ＱＱ７に対する図面の言及のみがこのセクションに含まれる。本方法のステップＱＱ７１０で、ホストコンピュータがユーザデータを提供する。オプションのサブステップ（図示せず）で、ホストコンピュータが、ホストアプリケーションを実行することによってユーザデータを提供する。ステップＱＱ７２０で、ホストコンピュータが、ＵＥへのユーザデータを搬送する送信を開始する。当該送信は、本開示全体にわたって説明される実施形態の教示に従って、基地局を通過しうる。（オプションでありうる）ステップＱＱ７３０で、ＵＥは、当該送信で搬送されたユーザデータを受信する。
【０１３９】
図ＱＱ８：いくつかの実施形態による、ホストコンピュータ、基地局、及びユーザ装置を含む通信システムにおいて実行される方法
【０１４０】
図ＱＱ８は、一実施形態による、通信システムにおいて実行される方法を示すフローチャートである。通信システムは、図ＱＱ４及び図ＱＱ５を参照して説明されうるホストコンピュータ、基地局、及びＵＥを含む。本開示を簡単にするために、図ＱＱ８に対する図面の言及のみがこのセクションに含まれる。（オプションでありうる）ステップＱＱ８１０で、ＵＥは、ホストコンピュータによって提供された入力データを受信する。追加的に又は代替的に、ステップＱＱ８２０で、ＵＥは、ユーザデータを提供する。ステップＱＱ８２０の（オプションでありうる）サブステップＱＱ８２１では、ホストコンピュータが、ホストアプリケーションを実行することによってユーザデータを提供する。ステップＱＱ８１０の（オプションでありうる）サブステップＱＱ８１１で、ＵＥが、ホストコンピュータによって提供された受信入力データに応答してユーザデータを提供するクライアントアプリケーションを実行する。ユーザデータを提供する際に、実行されるクライアントアプリケーションは、ユーザから受け付けたユーザ入力を更に考慮してもよい。ユーザデータが提供された特定の方法にかかわらず、ＵＥは、（オプションでありうる）サブステップＱＱ８３０で、ユーザデータのホストコンピュータへの送信を開始する。本方法のステップＱＱ８４０で、ホストコンピュータが、本開示全体にわたって説明される実施形態の教示に従って、ＵＥから送信されたユーザデータを受信する。
【０１４１】
図ＱＱ９：いくつかの実施形態による、ホストコンピュータ、基地局、及びユーザ装置を含む通信システムにおいて実行される方法
【０１４２】
図ＱＱ９は、一実施形態による、通信システムにおいて実行される方法を示すフローチャートである。通信システムは、図ＱＱ４及び図ＱＱ５を参照して説明されうるホストコンピュータ、基地局、及びＵＥを含む。本開示を簡単にするために、図ＱＱ９に対する図面の言及のみがこのセクションに含まれる。（オプションでありうる）ステップＱＱ９１０で、本開示全体にわたって説明される実施形態の教示に従って、基地局が、ＵＥからユーザデータを受信する。（オプションでありうる）ステップＱＱ９２０で、基地局が、受信したユーザデータのホストコンピュータへの送信を開始する。（オプションでありうる）ステップＱＱ９３０で、ホストコンピュータは、基地局によって開始された送信で搬送されたユーザデータを受信する。
【０１４３】
本明細書で開示される任意の適切なステップ、方法、特徴、機能、又は効果は、１つ以上の仮想装置の１つ以上の機能ユニット又はモジュールを通じて実行されてもよい。各仮想装置は、いくつかのこれらの機能ユニットを備えうる。これらの機能ユニットは、１つ以上のマイクロプロセッサ又はマイクロコントローラを含みうる処理回路と、デジタルシグナルプロセッサ（ＤＳＰ）、専用デジタルロジック等を含みうる他のデジタルハードウェアによって実装されてもよい。処理回路は、メモリに格納されたプログラムコードを実行するように構成されてもよく、当該メモリは、読み出し専用メモリ（ＲＯＭ）、ランダムアクセスメモリ（ＲＡＭ）、キャッシュメモリ、フラッシュメモリデバイス、光ストレージデバイス等の、１つ以上のタイプのメモリを含んでもよい。メモリに格納されたプログラムコードは、１つ以上の遠隔通信及び／又はデータ通信プロトコルを実行するためのプログラム命令と、本明細書で説明される技術のうちの１つ以上を実行するための命令とを含む。いくつかの実装形態では、処理回路は、本開示の１つ以上の実施形態に従って、それぞれの機能ユニットに、対応する機能を実行させるために使用されてもよい。
【０１４４】
ユニットという用語は、電子機器、電気デバイス、及び／又は電子デバイスの分野において従来の意味を有してもよく、例えば、本明細書で説明されるような、電気回路及び／又は電子回路、デバイス、モジュール、プロセッサ、メモリ、ロジックソリッドステート及び／又はディスクリートデバイス、それぞれのタスク、手順、計算、出力及び／又は表示機能等を実行するためのコンピュータプログラム又は命令を含んでもよい。
【０１４５】
略語
本開示では、以下の略語の少なくともいくつかが使用されうる。略語間に不整合がある場合、それが上記でどのように使用されるかが優先されるべきである。以下で複数回リストされた場合、最初のリストは、その後の任意のリストよりも優先されるべきである。
1x RTT    CDMA2000 1x Radio Transmission Technology
3GPP    3rd Generation Partnership Project
5G    5th Generation
ABS    Almost Blank Subframe
ARQ    Automatic Repeat Request
AWGN    Additive White Gaussian Noise
BCCH    Broadcast Control Channel
BCH    Broadcast Channel
BL    Bandwidth-reduced Low-complexity
CA    Carrier Aggregation
CC    Carrier Component
CCCH SDU    Common Control Channel SDU
CDMA    Code Division Multiplexing Access
CE    Coverage Enhanced
CGI    Cell Global Identifier
CIR    Channel Impulse Response
CP    Cyclic Prefix
CPICH    Common Pilot Channel
CPICH    Ec/No CPICH Received energy per chip
divided by the power density in the band
CQI    Channel Quality information
C-RNTI    Cell RNTI
CSI    Channel State Information
DCCH    Dedicated Control Channel
DL    Downlink
DM    Demodulation
DMRS    Demodulation Reference Signal
DRX    Discontinuous Reception
DTX    Discontinuous Transmission
DTCH    Dedicated Traffic Channel
DUT    Device Under Test
E-CID    Enhanced Cell-ID (positioning method)
E-SMLC    Evolved-Serving Mobile Location Centre
ECGI    Evolved CGI
eNB    E-UTRAN NodeB
ePDCCH    enhanced Physical Downlink Control Channel
E-SMLC    evolved Serving Mobile Location Center
E-UTRA    Evolved UTRA
E-UTRAN    Evolved UTRAN
FDD    Frequency Division Duplex
FFS    For Further Study
GERAN    GSM EDGE Radio Access Network
gNB    Base station in NR
GNSS    Global Navigation Satellite System
GSM    Global System for Mobile communication
HARQ    Hybrid Automatic Repeat Request
HO    Handover
HSPA    High Speed Packet Access
HRPD    High Rate Packet Data
LBT    Listen Before Talk
LIC    Local Illumination Compensation
LOS    Line of Sight
LPP    LTE Positioning Protocol
LTE    Long-Term Evolution
MAC     Medium Access Control
MBMS    Multimedia Broadcast Multicast Services
MBSFN    Multimedia Broadcast multicast service Single Frequency Network
MBSFN ABS    MBSFN Almost Blank Subframe
MDT    Minimization of Drive Tests
MIB    Master Information Block
MME    Mobility Management Entity
MSC    Mobile Switching Center
NB-IoT     Narrowband Internet of Things
NPDCCH    Narrowband Physical Downlink Control Channel
NR    New Radio
OCNG    OFDMA Channel Noise Generator
OFDM    Orthogonal Frequency Division Multiplexing
OFDMA    Orthogonal Frequency Division Multiple Access
OSS    Operations Support System
OTDOA    Observed Time Difference of Arrival
O&M    Operation and Maintenance
PBCH    Physical Broadcast Channel
P-CCPCH    Primary Common Control Physical Channel
PCell    Primary Cell
PCFICH    Physical Control Format Indicator Channel
PDCCH    Physical Downlink Control Channel
PDP    Profile Delay Profile
PDSCH    Physical Downlink Shared Channel
PGW    Packet Gateway
PHICH    Physical Hybrid-ARQ Indicator Channel
PLMN    Public Land Mobile Network
PMI    Precoder Matrix Indicator
PRACH    Physical Random Access Channel
PRS    Positioning Reference Signal
PSS    Primary Synchronization Signal
PUCCH    Physical Uplink Control Channel
PUSCH    Physical Uplink Shared Channel
RACH    Random Access Channel
QAM    Quadrature Amplitude Modulation
RA    Random Access
RAN    Radio Access Network
RAR    Random Access Response
RAT    Radio Access Technology
RLM    Radio Link Management
RMSI    Remaining Minimum System Information
RNC    Radio Network Controller
RNTI    Radio Network Temporary Identifier
RRC    Radio Resource Control
RRM    Radio Resource Management
RS    Reference Signal
RSCP    Received Signal Code Power
RSRP    Reference Symbol Received Power 又は
Reference Signal Received Power
RSRQ    Reference Signal Received Quality 又は
Reference Symbol Received Quality
RSSI    Received Signal Strength Indicator
RSTD    Reference Signal Time Difference
SCH    Synchronization Channel
SCell    Secondary Cell
SDU    Service Data Unit
SFN    System Frame Number
SGW    Serving Gateway
SI    System Information
SIB    System Information Block
SNR    Signal to Noise Ratio
SON    Self Optimized Network
SS    Synchronization Signal
SSS    Secondary Synchronization Signal
TDD    Time Division Duplex
TDOA    Time Difference of Arrival
TOA    Time of Arrival
TRP    Transmission and Reception Point
TSS    Tertiary Synchronization Signal
TTI    Transmission Time Interval
UE    User Equipment
UL    Uplink
UMTS    Universal Mobile Telecommunication System
USIM    Universal Subscriber Identity Module
UTDOA    Uplink Time Difference of Arrival
UTRA    Universal Terrestrial Radio Access
UTRAN    Universal Terrestrial Radio Access Network
WCDMA    Wide CDMA
WLAN    Wide Local Area Network
【０１４６】
更なる定義が以下で提供される。
本発明の概念の様々な実施形態の上記の説明では、本明細書で使用される用語が特定の実施形態を説明するためだけのものであり、本発明の概念を限定することを意図したものではないことを理解されたい。別段の定義がない限り、本明細書で使用される全ての用語（技術用語及び科学用語を含む）は、本発明の概念が属する技術分野の当業者によって一般に理解されるものと同じ意味を有する。更に、一般に使用される辞書で定義されるような用語は本明細書及び関連技術の文脈における意味と一致する意味を有するものとして解釈されるべきであり、本明細書で明示的に定義されない限り、理想化された又は過度に形式的な意味で解釈されるべきではないことが理解されるであろう。
【０１４７】
要素が別の要素に「接続されている」、「結合されている」、「応答している」、又はその変形として言及される場合、他の要素又は介在する要素に直接に接続されている、結合されている、又は応答していることがありうる。対照的に、要素が別の要素に「直接接続されている」、「直接結合されている」、「直接応答している」、又はその変形として言及される場合、介在する要素は存在しない。同様の番号は全体にわたって同様の要素を参照する。更に、本明細書で使用される「結合されている」、「接続されている」、「応答している」、又はその変形は、無線で結合されている、接続されている、又は応答していることを含んでもよい。本明細書で使用されるように、単数形「ａ」、「ａｎ」及び「Ｔｈｅ」は、文脈がそれ以外を明確に示さない限り、複数形も含むことが意図されている。周知の機能又は構成は、簡潔性及び／又は明確性のために、詳細には説明されていない場合がある。「及び／又は」との用語は、関連するリストされた項目のうちの１つ以上についての任意の及び全ての組み合わせを含む。
【０１４８】
第１、第２、第３等の用語は、様々な要素／動作を説明するために本明細書で使用されうるが、これらの要素／動作はこれらの用語によって限定されるべきではないことが理解されるであろう。これらの用語は、１つの要素／動作を別の要素／動作から区別するためにのみ使用される。このため、いくつかの実施形態における第１の要素／動作は、本発明概念の教示から逸脱することなく、他の実施形態において第２の要素／動作と称されてもよい。同一の参照番号又は同一の参照指示子は、明細書全体を通して同一又は類似の要素を示す。
【０１４９】
本明細書で使用されるように、「comprise（備える、含む）」、「comprising（備える、含む）」、「comprises（備える、含む）」、「include（備える、含む）」、「including（備える、含む）」、「includes（備える、含む）」、「have（有する）」、「has（有する）」、「having（有する）」、又はそれらの変形は、オープンエンドであり、１つ以上の記述された特徴、整数、要素、ステップ、コンポーネント又は機能を含むが、１つ以上の他の特徴、整数、要素、ステップ、コンポーネント、機能又はそれらのグループの存在又は追加を排除しない。更に、本明細書で使用されるように、ラテン語句「exempli gratia」に由来する共通の略語「e.g.（例えば）」は、先に言及された項目の一般的な例を紹介又は特定するために使用されてもよく、そのような項目の限定を意図するものではない。ラテン語句「id est」に由来する共通の略語「i.e.（即ち）」は、より一般的な記載から特定の項目を特定するために使用されてもよい。
【０１５０】
本明細書では、コンピュータ実装方法、装置（システム及び／又はデバイス）、及び／又はコンピュータプログラム製品のブロック図及び／又はフローチャート図を参照して、例示的な実施形態が説明されている。ブロック図及び／又はフローチャート図のブロック、ならびにブロック図及び／又はフローチャート図のブロックの組合せは、１つ以上のコンピュータ回路によって実行されるコンピュータプログラム命令によって実装できることを理解されたい。これらのコンピュータプログラム命令が、マシンを生成するために、汎用コンピュータ回路、専用コンピュータ回路、及び／又は他のプログラマブルデータ処理回路のプロセッサ回路に提供され、その結果、ブロック図及び／又はフローチャートのブロックで特定された機能／動作を実装するように、コンピュータ及び／又は他のプログラマブルデータ処理装置のプロセッサを介して実行する命令が、トランジスタ、メモリ位置に格納された値、並びに、そのような回路内の他のハードウェアコンポーネントを変換及び制御し、それにより、ブロック図及び／又はフローチャートのブロックで特定された機能／動作を実装するための手段（機能）及び／又は構成が作成される。
【０１５１】
これらのコンピュータプログラム命令は更に、コンピュータ又は他のプログラマブルデータ処理装置に特定の方法で機能するように指示できる有形のコンピュータ読み取り可能媒体に格納されることができ、その結果、コンピュータ読み取り可能媒体に格納された命令が、ブロック図及び／又はフローチャートの１つ以上のブロックで特定された機能／動作を実行する命令を含む製品を生み出す。したがって、本発明概念の実施形態は、デジタルシグナルプロセッサ等のプロセッサ上で動作するハードウェア及び／又はソフトウェア（ファームウェア、常駐ソフトウェア、マイクロコード等を含む）で具体化されてもよく、これらは集合的に「回路」、「モジュール」又はそれらの変形と称されてもよい。
【０１５２】
また、いくつかの代替の実装では、ブロックに記載された機能／動作が、フローチャートに記載された順序とは異なる順序で行われてもよいことに留意されたい。例えば、連続して示される２つのブロックは、実際には実質的に同時に実行されてもよく、又は、ブロックに含まれる機能／動作に応じて、場合によっては逆の順序で実行されてもよい。更に、フローチャート及び／又はブロック図の所与のブロックの機能は、複数のブロックに分離されてもよい、及び／又は、フローチャート及び／又はブロック図の２つ以上のブロックの機能は、少なくとも部分的に統合されてもよい。最後に、本発明概念の範囲から逸脱することなく、図示されるブロック間に他のブロックを追加／挿入することができる、及び／又は、ブロック／動作を省略することができる。更に、図のいくつかは通信の主方向を示すために通信経路上に矢印を含むが、通信は描かれた矢印と反対の方向に生じることがあることが理解されるべきである。
【０１５３】
本発明概念の原理から実質的に逸脱することなく、実施形態に対して多くの変形及び修正を行うことができる。全てのそのような変形及び修正は、本発明の概念の範囲内に含まれることが意図される。したがって、上記で開示された主題は例示的であり、限定的ではないと考えられるべきであり、実施形態の例は、本発明概念の精神及び範囲内にある、全てのそのような修正、拡張、及び他の実施形態を包含することが意図される。このため、本発明概念の範囲は、法律によって許容される最大限まで、実施形態の例及びその均等物を含む本開示の最も広い許容可能な解釈によって決定されるべきであり、前述の詳細な説明によって限定又は限定されるべきではない。
【図１】
2021520662.tif 000008
【図２】
2021520662.tif 000009
【図３】
2021520662.tif 000010
【図４】
2021520662.tif 000011
【図５】
2021520662.tif 000012
【図６】
2021520662.tif 000013
【図ＱＱ１】
2021520662.tif 000014
【図ＱＱ２】
2021520662.tif 000015
【図ＱＱ３】
2021520662.tif 000016
【図ＱＱ４】
2021520662.tif 000017
【図ＱＱ５】
2021520662.tif 000018
【図ＱＱ６】
2021520662.tif 000019
【図ＱＱ７】
2021520662.tif 000020
【図ＱＱ８】
2021520662.tif 000021
【図ＱＱ９】
2021520662.tif 000022
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
ネットワークノード（20, 600）による、Ｍｓｇ３設定のスケジューリングを行う方法であって、
５Ｇのユーザ装置（ＵＥ）（10, 500）によるＭｓｇ３送信のための、送信継続時間、スロットオフセット、復調用参照信号（ＤＭＲＳ）設定、及び開始位置を示す、時間領域割り当てテーブル内のエントリを含む情報メッセージを生成することであって、前記スロットオフセットがサブキャリア間隔に依存する、生成すること（300）と、
前記ＵＥ（10, 500）によるＭｓｇ３送信をスケジューリングするために前記ＵＥ（10, 500）への前記情報メッセージのシグナリングの送信を開始すること（302）と、
を含む、方法。
【請求項２】
請求項１に記載の方法であって、前記情報メッセージが、ランダムアクセス応答アップリンクグラントに含まれる、方法。
【請求項３】
請求項１又は２に記載の方法であって、スケジューリングオフセットが、前記サブキャリア間隔に依存する、方法。
【請求項４】
請求項１に記載の方法であって、前記テーブルが、無線リソース制御（ＲＲＣ）を用いて設定される、方法。
【請求項５】
請求項４に記載の方法であって、前記ＲＲＣが、残余最小システム情報（ＲＭＳＩ）を用いて提供される、方法。
【請求項６】
請求項１から５のいずれか１項に記載の方法であって、前記サブキャリア間隔の依存性が、システム情報及び／又はＲＲＣで設定される、方法。
【請求項７】
５Ｇのユーザ装置（ＵＥ）（10, 500）による、Ｍｓｇ３のスケジューリングを行う方法であって、
Ｍｓｇ３送信のための、送信継続時間、スロットオフセット、復調用参照信号（ＤＭＲＳ）設定、及び開始位置を示す、時間領域割り当てテーブル内のエントリを含む情報メッセージを、ネットワークノード（20, 600）から受信することであって、前記スロットオフセットがサブキャリア間隔に依存する、受信すること（400）と、
前記情報メッセージに基づいて決定されたスケジュールに基づいてＭｓｇ３を送信すること（402）と、
を含む、方法。
【請求項８】
請求項７に記載の方法であって、前記情報メッセージが、ランダムアクセス応答アップリンクグラントに含まれる、方法。
【請求項９】
請求項７又は８に記載の方法であって、スケジューリングオフセットが、前記サブキャリア間隔に依存する、方法。
【請求項１０】
請求項７に記載の方法であって、前記テーブルが、無線リソース制御（ＲＲＣ）を用いて設定される、方法。
【請求項１１】
請求項１０に記載の方法であって、前記ＲＲＣが、残余最小システム情報（ＲＭＳＩ）を用いて提供される、方法。
【請求項１２】
請求項７から１１のいずれか１項に記載の方法であって、前記サブキャリア間隔の依存性が、システム情報及び／又はＲＲＣで設定される、方法。
【請求項１３】
ネットワークノード（20, 600）であって、
ネットワークインタフェース（607）と、
前記ネットワークインタフェース（607）に接続されたプロセッサ（603）と、
動作を行うために前記プロセッサ（603）によって実行されるプログラムコードを格納したメモリ（605）と、を備え、前記動作は、
５Ｇのユーザ装置（ＵＥ）（10, 500）によるＭｓｇ３送信のための、送信継続時間、オフセット、復調用参照信号（ＤＭＲＳ）設定、及び開始位置を示す、時間領域割り当てテーブル内のエントリを含む情報メッセージを生成することであって、前記スロットオフセットがサブキャリア間隔に依存する、生成すること（300）と、
前記ＵＥ（10, 500）によるＭｓｇ３送信をスケジューリングするために前記ＵＥ（10, 500）への前記情報メッセージのシグナリングの送信を開始すること（302）と、
を含む、ネットワークノード。
【請求項１４】
請求項１３に記載の方法であって、前記情報メッセージが、ランダムアクセス応答アップリンクグラントに含まれる、方法。
【請求項１５】
請求項１３又は１４に記載の方法であって、スケジューリングオフセットが、前記サブキャリア間隔に依存する、方法。
【請求項１６】
請求項１３に記載の方法であって、前記テーブルが、無線リソース制御（ＲＲＣ）を用いて設定される、方法。
【請求項１７】
請求項１６に記載の方法であって、前記ＲＲＣが、残余最小システム情報（ＲＭＳＩ）を用いて提供される、方法。
【請求項１８】
請求項１３から１７のいずれか１項に記載の方法であって、前記サブキャリア間隔の依存性が、システム情報及び／又はＲＲＣで設定される、方法。
【請求項１９】
５Ｇのユーザ装置（ＵＥ）（10, 500）であって、
ネットワークインタフェース（501）と、
前記ネットワークインタフェース（501）に接続されたプロセッサ（503）と、
動作を行うために前記プロセッサ（503）によって実行されるプログラムコードを格納したメモリ（505）と、を備え、前記動作は、
Ｍｓｇ３送信のための、送信継続時間、スロットオフセット、復調用参照信号（ＤＭＲＳ）設定、及び開始位置を示す、時間領域割り当てテーブル内のエントリを含む情報メッセージを、ネットワークノード（20, 600）から受信することであって、前記スロットオフセットがサブキャリア間隔に依存する、受信すること（400）と、
前記情報メッセージに基づいて決定されたスケジュールに基づいてＭｓｇ３を送信すること（402）と、
を含む、ＵＥ。
【請求項２０】
請求項１９に記載の方法であって、前記情報メッセージが、ランダムアクセス応答アップリンクグラントに含まれる、方法。
【請求項２１】
請求項１９又は２０に記載の方法であって、スケジューリングオフセットが、前記サブキャリア間隔に依存する、方法。
【請求項２２】
請求項１９に記載の方法であって、前記テーブルが、無線リソース制御（ＲＲＣ）を用いて設定される、方法。
【請求項２３】
請求項２２に記載の方法であって、前記ＲＲＣが、残余最小システム情報（ＲＭＳＩ）を用いて提供される、方法。
【請求項２４】
請求項１９から２２のいずれか１項に記載の方法であって、前記サブキャリア間隔の依存性が、システム情報及び／又はＲＲＣで設定される、方法。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
ネットワークノード（20, 600）による、Ｍｓｇ３設定のスケジューリングを行う方法であって、
５Ｇのユーザ装置（ＵＥ）（10, 500）によるＭｓｇ３送信のための、送信継続時間、スロットオフセット、復調用参照信号（ＤＭＲＳ）設定、及び開始位置を示す、時間領域割り当てテーブル内のエントリを含む情報メッセージを生成することであって、前記スロットオフセットがサブキャリア間隔に依存する、生成すること（300）と、
前記ＵＥ（10, 500）によるＭｓｇ３送信をスケジューリングするために前記ＵＥ（10, 500）への前記情報メッセージのシグナリングの送信を開始すること（302）と、
を含む、方法。
【請求項２】
請求項１に記載の方法であって、前記情報メッセージが、ランダムアクセス応答アップリンクグラントに含まれる、方法。
【請求項３】
請求項１又は２に記載の方法であって、スケジューリングオフセットが、前記サブキャリア間隔に依存する、方法。
【請求項４】
請求項１に記載の方法であって、前記テーブルが、無線リソース制御（ＲＲＣ）を用いて設定される、方法。
【請求項５】
請求項４に記載の方法であって、前記ＲＲＣが、残余最小システム情報（ＲＭＳＩ）を用いて提供される、方法。
【請求項６】
請求項１から５のいずれか１項に記載の方法であって、前記サブキャリア間隔の依存性が、システム情報及び／又はＲＲＣで設定される、方法。
【請求項７】
５Ｇのユーザ装置（ＵＥ）（10, 500）による、Ｍｓｇ３のスケジューリングを行う方法であって、
Ｍｓｇ３送信のための、送信継続時間、スロットオフセット、復調用参照信号（ＤＭＲＳ）設定、及び開始位置を示す、時間領域割り当てテーブル内のエントリを含む情報メッセージを、ネットワークノード（20, 600）から受信することであって、前記スロットオフセットがサブキャリア間隔に依存する、受信すること（400）と、
前記情報メッセージに基づいて決定されたスケジュールに基づいてＭｓｇ３を送信すること（402）と、
を含む、方法。
【請求項８】
請求項７に記載の方法であって、前記情報メッセージが、ランダムアクセス応答アップリンクグラントに含まれる、方法。
【請求項９】
請求項７又は８に記載の方法であって、スケジューリングオフセットが、前記サブキャリア間隔に依存する、方法。
【請求項１０】
請求項７に記載の方法であって、前記テーブルが、無線リソース制御（ＲＲＣ）を用いて設定される、方法。
【請求項１１】
請求項１０に記載の方法であって、前記ＲＲＣが、残余最小システム情報（ＲＭＳＩ）を用いて提供される、方法。
【請求項１２】
請求項７から１１のいずれか１項に記載の方法であって、前記サブキャリア間隔の依存性が、システム情報及び／又はＲＲＣで設定される、方法。
【請求項１３】
５Ｇのユーザ装置（ＵＥ）（10, 500）であって、
ネットワークインタフェース（501）と、
前記ネットワークインタフェース（501）に接続されたプロセッサ（503）と、
動作を行うために前記プロセッサ（503）によって実行されるプログラムコードを格納したメモリ（505）と、を備え、前記動作は、
Ｍｓｇ３送信のための、送信継続時間、スロットオフセット、復調用参照信号（ＤＭＲＳ）設定、及び開始位置を示す、時間領域割り当てテーブル内のエントリを含む情報メッセージを、ネットワークノード（20, 600）から受信することであって、前記スロットオフセットがサブキャリア間隔に依存する、受信すること（400）と、
前記情報メッセージに基づいて決定されたスケジュールに基づいてＭｓｇ３を送信すること（402）と、
を含む、ＵＥ。
【請求項１４】
請求項１３に記載のＵＥであって、前記情報メッセージが、ランダムアクセス応答アップリンクグラントに含まれる、ＵＥ。
【請求項１５】
請求項１３又は１４に記載のＵＥであって、スケジューリングオフセットが、前記サブキャリア間隔に依存する、ＵＥ。
【請求項１６】
請求項１５に記載のＵＥであって、前記テーブルが、無線リソース制御（ＲＲＣ）を用いて設定される、ＵＥ。
【請求項１７】
請求項１６に記載のＵＥであって、前記ＲＲＣが、残余最小システム情報（ＲＭＳＩ）を用いて提供される、ＵＥ。
【請求項１８】
請求項１３から１７のいずれか１項に記載のＵＥであって、前記サブキャリア間隔の依存性が、システム情報及び／又はＲＲＣで設定される、ＵＥ。
【国際調査報告】
2021520662.tif 000023
2021520662.tif 000024